(57)【要約】      （修正有）【課題】設定を簡単にできる電子機器を提供する。【解決手段】電子機器は、電子機器に対する設定情報を送信する他の電子機器と通信可能な領域に入ると、自動的に他の電子機器と近距離無線通信を行って、設定情報を受信する第１の通信手段と、第１の通信手段が受信した設定情報に基づいて、電子機器の設定を変更する制御手段とを備える。「通信可能な領域」とは、例えば、「電子機器」と「他の電子機器」との相対的な位置関係により、「他の電子機器」を意図した通信相手として、「他の電子機器」以外の機器とは区別して特定できる範囲とするとよく、特に「他の電子機器」の通信手段から概ね１０ｃｍ以内の範囲とするとよく、電子機器の通信手段と他の電子機器の通信手段とが接触する程度の範囲とすると最もよい。【選択図】図１
2020110000.tif 000002
【特許請求の範囲】
【請求項１】
ゴルフを支援するための電子機器であって、
表示部と、NFC通信部と、制御部とを備え、
前記制御部は、他の電子機器からコースレイアウト情報を前記NFC通信部による近距離無線通信で取得する機能と、
前記NFC通信部による近距離無線通信で取得したコースレイアウト情報に基づくゴルフ場のコースレイアウトを前記表示部に表示させる機能と
備えることを特徴とする電子機器。
【請求項２】
前記制御部は、他の電子機器からコースを回ったときのスコアの履歴情報、１打毎の打球位置の履歴情報の少なくともいずれかを、前記NFC通信部による近距離無線通信で取得し、取得した履歴情報に基づく表示を前記表示部に行う機能と、
を備える請求項１に記載の電子機器。
【請求項３】
コンピュータを、請求項１または２に記載の電子機器の制御部として機能させるプログラム。
【発明の詳細な説明】
【技術分野】
【０００１】
本発明は、電子機器、システムおよびプログラムに関する。
【背景技術】
【０００２】
近年、ホームネットワークを構成する様々な電子機器の相互接続を実現し、これらの電子機器が映像や音声などのコンテンツデータをやり取りする技術が確立されている（例えば、特許文献1参照。）。ホームネットワークが無線ネットワークにより構成されていれば、ユーザは、無線ネットワークに接続できるエリア内であれば、ＮＡＳ（Network Attached Storage）と称される記憶処理装置に格納されたコンテンツを、タブレットコンピュータやスマートフォンなどのいわゆる携帯情報端末を利用して場所の制約を受けることなく自由に視聴することができる。
【先行技術文献】
【特許文献】
【０００３】
【特許文献１】特開２０１２−２４９０１１号公報
【発明の概要】
【発明が解決しようとする課題】
【０００４】
しかし、上述のようなネットワークを介したコンテンツ試聴を行うには、ＮＡＳおよび端末に複雑な設定をする必要があり、ネットワークや機器の設定に精通していないユーザが簡単に利用できるものではなかった。
【０００５】
そこで、本発明は従来よりも設定を簡単にできる電子機器およびシステムを提供することを目的とする。この目的は例えば特許請求の範囲における独立項に記載の特徴の組み合わせにより達成される。また従属項は本発明の更なる有利な具体例を規定する。
【課題を解決するための手段】
【０００６】
（１）上記課題を解決するために、本発明の電子機器は、電子機器に対する設定情報を送信する他の電子機器と通信可能な領域に入ると、自動的に他の電子機器と近距離無線通信（ＮＦＣ：Near Field Communication）を行って、設定情報を受信する第１の通信手段と、第１の通信手段が受信した設定情報に基づいて、電子機器の設定を変更する制御手段とを備える。
【０００７】
本発明の電子機器によれば、設定を行いたい電子機器を、設定情報を予め格納しておいた他の電子機器と通信可能な領域に入れるだけで、当該電子機器の設定をおこなうことができる。例えば、当該電子機器が持ち運び可能に構成された電子機器であれば、他の電子機器と通信可能な領域に持ち込むだけで、例えば、他の煩雑な操作を要することなく当該電子機器の設定をおこなうことができる。電子機器の操作に慣れないユーザでも、簡単に希望の設定を行うことができる。例えば、他の電子機器は、本電子機器に対する設定情報を格納するとよい。また、例えば他の電子機器は設定情報を送受信する構成にするとよい。設定情報は、例えば、ユーザの希望の設定情報とするとよい。また、設定情報は、例えば、ＮＦＣタグに格納する構成とするとよい。このようなＮＦＣタグを用意しておけば、当該タグを電子機器に近づけるだけで設定ができる。
【０００８】
「自動的に」としては、例えば、ユーザによる操作を要しない構成とするとよく、例えば、電子機器が他の電子機器と通信可能な範囲に入ったことをきっかけとして、電気機器又は他の電子機器のいずれか一方から通信を開始するとよい。
【０００９】
「通信可能な領域」とは、例えば、「電子機器」と「他の電子機器」との相対的な位置関係により、「他の電子機器」を意図した通信相手として、「他の電子機器」以外の機器とは区別して特定できる範囲とするとよく、特に「他の電子機器」の通信手段から概ね１０ｃｍ以内の範囲とするとよく、電子機器の通信手段と他の電子機器の通信手段とが接触する程度の範囲とすると最もよい。
【００１０】
（２）好ましくは、本発明の電子機器では、電子機器および他の電子機器はそれぞれ表示手段を備え、電子機器は、第１の通信手段は、近距離無線通信により、画像に関する情報を設定情報として他の電子機器から受信し、制御手段は、画像に関する情報に基づき、電子機器の表示手段における表示を制御する。
【００１１】
本発明の電子機器によれば、他の電子機器に画像が表示されているときに、電子機器を他の電子機器と通信可能な領域に入れるだけで、当該他の電子機器に表示している画像に関する情報を電子機器で受信し、受信した情報に応じた表示をすることができる。したがって、例えばテレビで映画を表示している場合に、電子機器をテレビに近づけるだけでテレビに表示中の映画に関する情報を、電子機器に表示させることができる。画像に関する情報としては、例えば静止画像に関する情報としてもよいが、特に動画像に関する情報とするとよい。動画像に関する情報としては、例えば、動画像と関連して再生される音声に関する情報や、動画像そのものの情報としてもよいが、動画像の再生に必要な情報とするとよい。また、画像は、例えば２Ｄ画像としてもよいし、３Ｄ画像としてもよい。例えば白黒画像としてもよいし、カラー画像としてもよい。他の電子機器は、他の電子機器が表示している画像に関する情報を電子機器に対する設定情報として格納するとよい。
【００１２】
（３）好ましくは、本発明の電子機器では、前記第１の通信手段は、他の電子機器で表示している画像の続きを電子機器で表示させるための情報を設定情報として他の電子機器から受信し、制御手段は、他の電子機器で表示している画像の続きを電子機器の表示手段に表示させる。
【００１３】
本発明の電子機器によれば、他の電子機器に画像が表示されているときに、電子機器を他の電子機器と通信可能な領域に持ち込むだけで、当該他の電子機器に表示している画像の続きを電子機器に表示させることができる。続きを電子機器で表示させるための情報としては、例えば、最後に表示した画像の識別情報、続きとして最初に表示させる画像の識別情報、画像が動画である場合には続きとして表示させる再生位置の情報などが挙げられる。
【００１４】
例えば、他の電子機器は、設定情報として他の電子機器が他の電子機器の表示手段に表示している画像の続きを電子機器で表示させるための情報を格納するとよい。例えば、制御手段は、第１の通信手段が受信した当該設定情報に基づいて、他の電子機器が他の電子機器の表示手段に表示している画像の続きを電子機器の表示手段に表示させるとよい。
【００１５】
「電子機器の表示手段に表示させる他の電子機器で表示している画像の続き」としては、ユーザが続きの画像が表示可能、表示されることが認識できる、または、表示されている、のいずれかとするとよい。例えば、他の電子機器に表示中の画像よりも少し前の画像としてもよいが、特に、他の電子機器に表示中の画像、または、他の電子機器に表示中の画像よりも後の画像であって続きであると認識できる範囲内の画像とするとよい。
【００１６】
例えば、他の電子機器の表示手段に表示されている画像が、あるファイルを再生する動画像である場合、そのファイル内で現在表示中の動画像の時間的位置よりも前の位置としてもよいが、現在表示中の動画像の時間的位置または、現在表示中の動画像の時間的位置よりも後の位置とするとよい。例えば、他の電子機器の表示手段に表示されている画像が現在放送中のテレビジョン映像である場合、そのテレビジョン放送の選局情報としてもよいが、例えば常にテレビジョン放送を録画しておくなどして、任意の箇所に遡って再生可能に構成しておき、現在表示中のテレビジョン放送の時間的位置よりも前の位置から再生するようにしてもよい。ただし、現在表示中のテレビジョン放送の時間的位置または、単に選局情報等に基づいて現在放送されているテレビジョン放送の位置とするとよい。
【００１７】
（４）好ましくは、本発明の電子機器では、画像に関する情報は、当該画像の複製制限情報を含む。
【００１８】
本発明の電子機器によれば、複製制限情報に基づいて表示手段における表示を制御することができる。複製制限情報としては、例えば、不正なコピーを防ぐ技術（技術的保護手段）によりコピーを禁止されたコンテンツ、あるいはコピー回数が制限されたコンテンツ等、複製に関する制限が課せられたものであるという情報とするとよい。そして、制御手段は例えば、制限の内容に応じて続きの画像の表示を取りやめたり、他の電子機器における表示を停止させるよう促して、制限に抵触することを回避しつつ続きを表示させたりといった、制限の内容に応じた制御をする構成とするとよい。このような構成により、課された複製制限をユーザが意識せずとも、制限に応じた表示をユーザに提供できる。
【００１９】
（５）好ましくは、本発明の電子機器では、複製制限情報が複製を許容しない旨を示す場合、制御手段は、他の電子機器で表示している当該画像を電子機器の表示手段に表示させない。
【００２０】
本発明の電子機器によれば、複製が許容されない画像を複数の電子機器に同時に表示させることを避けることができる。例えば制御手段は、他の電子機器が当該画像を表示している間、他の電子機器が表示している当該画像を表示手段に表示させないように制御するとよい。具体的には、例えば制御手段は、他の電子機器から当該画像の表示を終了した旨の通知を受け取らない限り当該画像を表示しないように制御するとよい。このような制御により、複製制限に反する表示を防ぐことができる。
【００２１】
（６）好ましくは、本発明の電子機器では、複製制限情報が複製を許容する旨を示す場合、制御手段は、当該画像を電子機器の表示手段に表示させるとともに、他の電子機器に当該画像を表示させ続けるか否かの選択をユーザに促す出力制御を行い、ユーザの選択を入力し、当該入力内容に基づいて他の電子機器で表示を行うか否かを制御する。
【００２２】
本発明の電子機器によれば、他の電子機器に画像を表示させ続けるか、他の電子機器での表示を終了するかをユーザに選択させることができる。制御手段は例えば、複製が禁止されていないコンテンツに関しては、他の電子機器が他の電子機器の表示手段に表示している画像の続きを、電子機器に表示させる場合に、他の電子機器でも続きを表示させることをユーザに選択させるとよい。これにより、ユーザは続きを表示させる機器を自由に選択できる。複製制限情報が複製を許容する旨を示す場合としては、例えば、複製制限情報が複製を許容する情報である場合や、複製制限情報が複製を制限する情報を含まない場合とするとよい。
【００２３】
（７）好ましくは、本発明の電子機器では、第１の通信手段が他の電子機器が表示している画像に関する情報を他の電子機器から受け取った時点で、制御手段は、他の電子機器が表示している画像と表示手段が表示している画像のいずれを電子機器の表示手段に表示させるかの選択をユーザに促す出力制御を行い、ユーザの選択を入力し、当該入力内容に基づいていずれを電子機器の表示手段に表示させるかを制御する。
【００２４】
本発明の電子機器によれば、他の電子機器が表示している画像と表示手段が表示している画像のいずれを表示手段に表示させるかをユーザに選択させることができる。例えば電子機器と他の電子機器の両方がそれぞれ別個に画像を表示している場面において、続きを表示させるための情報を設定情報として送受信し、いずれの機器で表示している画像の続きを表示させるかをユーザに自由に選択させる構成とするとよい。このようにすれば、例えば、続きを表示させない方の電子機器における表示を停止させてから近距離無線通信による設定情報の送受信をさせるといった煩雑な手順を省き、容易に所望のコンテンツの続きを表示させることができる。
【００２５】
（８）好ましくは、本発明の電子機器では、制御手段は、電子機器が既に画像を表示している場合、他の電子機器が表示している画像と電子機器が表示している画像のいずれを表示手段に表示させるかの選択をユーザに促す出力制御を行い、ユーザの選択を入力し、当該入力内容に基づいていずれを電子機器の表示手段に表示させるかを制御する。
【００２６】
本発明の電子機器によれば、表示手段が既に画像を表示している場合に他の電子機器が表示している画像と表示手段が表示している画像のいずれを表示手段に表示させるかをユーザに選択させることができるとともに、表示手段が画像を表示していない場合には、ユーザに選択をさせることなく他の電子機器が表示している画像を表示させることができる。
【００２７】
（９）好ましくは、本発明の電子機器では、制御手段は、第１の通信手段が他の電子機器が表示している画像に関する情報を他の電子機器から受け取った時点で、電子機器が既に画像を表示している場合、他の電子機器が表示している画像と電子機器が表示している画像の双方を電子機器の表示手段に表示させてユーザにいずれか一方を選択するよう促す出力制御を行い、選択内容を入力する制御を行い、当該選択内容に基づいて他の電子機器が表示している画像と電子機器が表示している画像のいずれか一方を表示させる。
【００２８】
本発明の電子機器によれば、表示手段が既に画像を表示している場合に他の電子機器が表示している画像と表示手段が表示している画像のいずれを表示手段に表示させるかをユーザに選択させるときに、ユーザに両方の画像を提示して選択させることができる。例えば表示手段は、タッチパネルによる入力機能を備えるとよい。これにより、タッチパネルによる直感的な操作で所望のコンテンツの続きを表示させることができる。
【００２９】
（１０）好ましくは、本発明の電子機器では、電子機器は、電子機器の位置情報を取得する位置情報取得手段と、交通監視ポイントの位置情報に関するデータベースとを更に備え、第１の通信手段は、他の電子機器から設定情報として交通監視ポイントの位置情報の更新データを受信し、制御手段は、第１の通信手段が受信した更新データに基づき、データベースを更新する。
【００３０】
本発明の電子機器によれば、交通監視ポイントの位置情報に関するデータベースを備える電子機器と通信可能な領域に、更新データを格納した他の電子機器を入れるだけで、煩雑な操作を要することなくデータベースを更新することができる。したがって、例えば、車両内部のような限られた空間においても、また、入出力インターフェースの操作性が良好とはいえない電子機器においても、簡単に交通監視ポイントの位置情報に関するデータベースを更新することができる。
【００３１】
（１１）好ましくは、本発明の電子機器では、第１の通信手段は、他の電子機器が第１の状態であるときに他の電子機器と通信可能な領域に入ると、電子機器に格納されている情報を他の電子機器に送信し、他の電子機器が第１の状態とは異なる第２の状態であるときに他の電子機器と通信可能な領域に入ると、他の電子機器から設定情報を受信する。
【００３２】
本発明の電子機器によれば、他の電子機器の状態に応じて送受信を切り替えることができる。例えば、電子機器と他の電子機器との間で双方向の通信を可能とし、電子機器の状態に応じて、電子機器と他の電子機器のいずれが送信側となるかを切り替るように構成するとよい。
【００３３】
（１２）好ましくは、本発明の電子機器では、第１の通信手段は、他の電子機器と通信可能な領域に入ると、電子機器に格納されている当該電子機器に固有の固有情報を他の電子機器に送信するとともに、他の電子機器から設定情報を受信する。
【００３４】
本発明の電子機器によれば、電子機器と他の電子機器との間で双方向の通信が可能な場合に、電子機器を他の電子機器と通信可能な範囲に持ち込むことで、電子機器への設定と電子機器からの情報取得をまとめて実行することができる。
【００３５】
（１３）好ましくは、本発明の電子機器では、入出力インターフェースをさらに備え、入出力インターフェースは、第１の通信手段が他の電子機器と通信可能な領域に入ると、電子機器に固有の固有情報を他の電子機器に送信することについてユーザに許諾を求める出力を発し、ユーザが当該承認を求める出力に応答して許諾することを表明する入力を入出力インターフェースに入力した場合に、第１の通信手段が、電子機器に固有の固有情報を他の電子機器に送信するとともに、他の電子機器から設定情報を受信する。
【００３６】
本発明の電子機器によれば、予めユーザに送信の許可を得ることで、ユーザの望まない情報が送信されることを防ぐことができる。固有情報は、例えば、個人情報などの送信にユーザに許可が必要な情報や、ユーザのプライバシーに関わり送信を望まない可能性がある情報を含んでよい。
【００３７】
「入出力インターフェース」は、例えば、タッチパネルディスプレイとするとよい。このような構成によれば、視覚的に表示される出力に対して入力を行えるので、機器の操作に不慣れなユーザであっても容易に出力に応答した入力操作を行うことができる。他の例としては、「入出力インターフェース」は、スピーカーとマイクとで構成されるとよい。このような構成によれば、手が塞がった状況においても出力に応答した入力操作を行うことができる。
【００３８】
（１４）好ましくは、本発明の電子機器では、入出力インターフェースは表示手段を有し、表示手段は、第１の通信部が他の電子機器と通信可能な領域に入ると、電子機器に固有の固有情報を他の電子機器に送信することの許諾を求める表示をし、ユーザが固有情報の送信を許諾することを表明する操作を行ったことに応じて、第１の通信手段が、電子機器に固有の固有情報を他の電子機器に送信するとともに、他の電子機器から設定情報を受信する。
【００３９】
本発明の電子機器によれば、電子機器に固有の固有情報を提供することを条件として、他の電子機器に格納された設定情報を電子機器に自動設定させるので、固有情報の提供をユーザに動機づけることができる。
【００４０】
（１５）好ましくは、本発明の電子機器では、電子機器は、現在位置の位置情報を検出する位置検出手段と、現在地から設定された目的地までの経路を案内するナビゲーション手段とを更に備え、第１の通信手段は、電子機器に固有の固有情報として、少なくとも現在地および目的地を示す情報を他の電子機器に送信し、現在地から目的地までの経路情報を設定情報として他の電子機器から受信し、制御手段は、第１の通信手段が受信した経路情報をナビゲーション手段が案内する経路として設定する。
【００４１】
本発明の電子機器によれば、位置検出手段が検出した現在地の情報とナビゲーション手段に設定された目的地とを、他の電子機器に送信して、他の電子機器から目的地までの経路情報を取得することができる。したがって、経路探索機能、経路選択機能等をナビゲーション手段を備える電子機器の外部の機器に実行させることができ、簡易な構成でナビゲーション装置を実現することができる。
【００４２】
（１６）好ましくは、本発明の電子機器では、固有情報として、更に位置検出手段が検出した位置情報の履歴を他の電子機器に送信する。
【００４３】
本発明の電子機器によれば、現在地と目的地に加えて、位置情報の履歴を他の電子機器に提供することができる。位置情報の履歴は例えば、走行ログデータであり、電子機器は他の電子機器を通じてユーザから走行ログデータを収集するように構成するとよい。電子機器は、収集した走行ログデータを、経路選択の処理を実行する外部の機器に送信するように構成すると更によい。このような構成により、外部の機器で実行される経路選択を精度向上させることができる。
【００４４】
（１７）好ましくは、本発明の電子機器では、電子機器は、現在位置の位置情報を検出する位置検出手段と、現在地から設定された目的地までの経路を探索し、探索して得られた経路に従い案内するナビゲーション手段とを更に備え、第１の通信手段は、目的地を示す情報を設定情報として他の電子機器から受信し、制御手段は、受信した目的地を示す情報に基づき、目的地をナビゲーション手段に設定する。
【００４５】
本発明の電子機器によれば、他の電子機器から目的地を示す情報を受信することができる。例えば本電子機器に登録されていない新しいスポットを、インターネットに接続可能な他の電子機器（例えばスマートフォン）で検索し、目的地を示す情報を取得して、取得した情報を他の電子機器から本電子機器が受信するように構成するとよい。このような構成により、検索に用いた他の電子機器を本電子機器と通信可能な領域に入れるだけで、簡単に新しいスポットを目的地として設定することができる。
【００４６】
（１８）好ましくは、本発明の電子機器では、電子機器は、現在位置の位置情報を検出する位置検出手段と、現在地から設定された目的地までの経路を案内するナビゲーション手段とを更に備え、他の電子機器にて受信されたソーシャル・ネットワーキング・サービス（ＳＮＳ）の投稿情報を設定情報として他の電子機器から受信し、ナビゲーション手段は、投稿情報を解析して案内ルートの沿線のスポットの情報を抽出し、ユーザに提示する。
【００４７】
本発明の電子機器によれば、ＳＮＳで話題となっている案内ルートの沿線のスポットをユーザに提示することができる。したがって、目的地として直接設定していないがＳＮＳで話題となっているスポットをユーザに提示することができる。
【００４８】
（１９）好ましくは、本発明の電子機器では、ナビゲーション手段は、車両の状態に関する車両情報の受け取り、スポットの情報を車両情報に基づき選択的にユーザに提示する。
【００４９】
本発明の電子機器によれば、車両の状態を踏まえて、目的地として直接設定していないがＳＮＳで話題となっているスポットに立ち寄ることをユーザに促すことができる。ナビゲーション手段は、例えば、車両情報として残燃料の情報を受け取り、残燃料が所定量以下の場合に、ＳＮＳの投稿情報から給油施設についての情報を抽出して、当該給油施設に立ち寄ることをユーザに促すとよい。
【００５０】
（２０）好ましくは、本発明の電子機器では、ナビゲーション手段は、スポットの情報を現在の時刻に基づき選択的にユーザに提示する。
【００５１】
本発明の電子機器によれば、現在時刻を踏まえて、目的地として直接設定していないがＳＮＳで話題となっているスポットに立ち寄ることをユーザに促すことができる。ナビゲーション手段は、例えば、現在時刻が正午の近傍である場合に、ＳＮＳの投稿情報からレストランについての情報を抽出して、ＳＮＳで話題のレストランに寄ることをユーザに促すとよい。
【００５２】
（２１）好ましくは、本発明の電子機器では、ナビゲーション手段は、投稿情報を解析して案内ルートの沿線のスポットの情報を抽出する際に、電子機器のユーザ自身による投稿を重視してスポット情報を抽出する。
【００５３】
本発明の電子機器によれば、ＳＮＳの投稿情報におけるユーザ自身の投稿を重視して、ユーザが採用する可能性の高い情報を提示することができる。例えば、ユーザ自身がＳＮＳに「お腹が空いた」と投稿していた場合に、電子機器は、レストランの情報を投稿情報から抽出し、ＳＮＳで話題のレストランに寄ることをユーザに促すとよい。
【００５４】
（２２）好ましくは、本発明の電子機器では、ナビゲーション手段は、最後に他の電子機器と近距離無線通信を行ってから経過した時間に応じて、スポットの情報をユーザに提示する頻度を変更する。
【００５５】
本発明の電子機器によれば、最後に他の電子機器と近距離無線通信を行ってから経過した時間に応じた適切なタイミングでユーザに情報を提示できる。ナビゲーション手段は、例えばスポットの情報を提示する頻度を一定でなくするとよい。具体的には、例えば、最後に他の電子機器と近距離無線通信を行ってから経過した時間が長いほど、スポットの情報をユーザに提示する頻度を低下させるとよい。このような構成によれば、最後に他の電子機器と近距離無線通信を行ってから経過した時間が長いほど、スポットの情報をユーザに提示する頻度を低下させることができる。したがって、他の電子機器と近距離無線通信を行わせないユーザに対しては、案内ルート沿線線のスポットの情報のような余計な情報を提示することを抑止し、目的地へ到達する妨げとならないようにすることができる。他の電子機器と近距離無線通信を行わせたときにはスポットの情報への関心が高いと推定して情報提示の頻度を高め、近距離無線通信を行ってから時間が経過するほど関心が薄れていくと推定して情報提示の頻度を低下させるとよい。
【００５６】
（２３）好ましくは、本発明の電子機器では、表示手段をさらに備え、ナビゲーション手段は、スポットの情報を表示手段に表示させることによりユーザに提示する。
【００５７】
本発明の電子機器によれば、スポットの情報を表示手段に表示させて視覚的にユーザに提示することができる
【００５８】
（２４）好ましくは、本発明の電子機器では、表示手段は地図を表示し、ナビゲーション手段は、スポットの情報を表示手段に表示させてから所定時間が経過すると、スポットの情報の表示を終了させるとともに、地図における当該スポットに対応する位置に当該スポットを示すアイコンを表示させる。
【００５９】
本発明の電子機器によれば、スポットの情報が表示されることにより地図の表示が妨げられることを抑制するとともに、地図上に表示させたアイコンにより当該スポットに対するユーザの関心を誘い続けることができる。
【００６０】
（２５）好ましくは、本発明の電子機器では、表示手段はタッチパネルによる入力機能を備え、ナビゲーション手段は、スポットの情報を、当該スポットを目的地とすることを促すボタンとして表示手段に表示させる。
【００６１】
本発明の電子機器によれば、操作が容易な態様で情報をユーザに提示することができる。当該ボタンが押されると当該スポットが目的地として設定されるように構成すると更によい。このような構成により、運転の妨げとなる煩雑な操作を要することなく、簡単な操作で当該スポットを目的地として追加することができる。
【００６２】
（２６）好ましくは、本発明の電子機器では、他の電子機器は、リモコンを利用して操作可能であり、他の電子機器を操作するためのリモコンに関する設定情報を格納し、第１の通信手段は、他の電子機器と通信可能な領域に入ると他の電子機器と近距離無線通信を行って、リモコンに関する設定情報を受信し、制御手段は、第１の通信手段が受信した設定情報に基づいて、他の電子機器を操作するためのリモコンを模擬するよう電子機器の設定を変更する。
【００６３】
本発明の電子機器によれば、電子機器を他の電子機器と近距離無線通信が可能な領域に入れるという簡単な行為で、電子機器に設定することができる。電子機器は、メーカーや機種が異なる複数のリモコンの設定を模擬するように構成されるとよい。また電子機器は、タッチパネルの表示によりリモコンのボタン配置を模擬するように構成されるとよく、リモコンによって異なるボタンの数、形状、配置を再現すると更によい。このような構成により、純正品のリモコンと類似の操作感を提供できる。
【００６４】
（２７）好ましくは、本発明の電子機器では、電子機器は、第１の通信手段が行う通信よりも通信容量の大きい通信を行う第２の通信手段を備え、設定情報のデータ量が所定量より大きい場合、設定情報のうち、少なくとも第２の通信手段による他の電子機器との通信を可能とするための情報を含む一部分を、第１の通信手段を介して他の電子機器から受信し、第２の通信手段による通信により、設定情報の残りの部分を他の電子機器から受信する。
【００６５】
本発明の電子機器によれば、設定情報のデータ量が、近距離無線通信により送受信することが困難または不可能であるほど大きい場合であっても、近距離無線通信によって第２の通信手段による通信のための設定を他の電子機器から受け取り、第２の通信手段による通信を確立して、第２の通信手段を利用して残りのデータを受信することができる。
【００６６】
（２８）好ましくは、本発明の電子機器では、電子機器に対する設定情報は、他の電子機器においても利用される共通の設定情報である。
【００６７】
本発明の電子機器によれば、電子機器にと他の電子機器とで共通に利用される設定情報の入力を、機器ごとに繰り返すことなく近距離無線通信により容易に転送して設定することができる。
【００６８】
（２９）好ましくは、本発明の電子機器では、第１の通信手段は、複数の他の電子機器と通信可能な領域に入ると、複数の他の電子機器のそれぞれが格納する設定情報を受信する。
【００６９】
本発明の電子機器によれば、複数の他の電子機器がそれぞれ格納する設定情報を、一括して電子機器に設定できる。したがって、複数の他の電子機器の組み合わせによって、様々な設定を一括して行うことができる。
【００７０】
（３０）好ましくは、本発明の電子機器では、通信可能な範囲は、電子機器と他の電子機器との相対的な位置関係により、他の電子機器を意図した通信相手として、他の電子機器以外の機器とは区別して特定できる範囲である。
【００７１】
本発明の電子機器によれば、通信相手としての他の電子機器を物理的な相対位置によって特定することができる。例えば多数の電子機器が存在する環境下において、上記（３）に関連して記載した他の電子機器に表示されている画像の続きを電子機器に表示させる場面で、続きを表示させたい電子機器を、他の電子機器がそれ以外の電子機器と区別可能な所定の相対位置の範囲に位置させるだけで、当該他の電子機器に表示している画像の続きを電子機器に表示させることができる。
【００７２】
（３１）好ましくは、本発明の電子機器では、通信可能な範囲は、他の電子機器の通信手段から概ね１０ｃｍ以内の範囲である。
【００７３】
本発明の電子機器によれば、対象に近づけるという目に見える行為により、情報の受け渡しをする対象が視覚的に明確となる。視覚的で捉え易い行為によって、設定情報を受信する相手となる他の電子機器を特定することができるので、電子機器の操作に不慣れなユーザであっても、容易に他の電子機器に格納された設定情報を電子機器に設定することができる。
【００７４】
（３２）好ましくは、本発明の電子機器では、通信可能な範囲は、電子機器の通信手段と他の電子機器の通信手段とが接触する程度の範囲である。
【００７５】
本発明の電子機器によれば、接触させるという目に見える行為により、情報の受け渡しをする対象が視覚的に明確となる。例えば、電子機器と他の電子機器とを接触させない限り通信が行われないように構成すると良い。対象に接触させるという視覚的で捉え易い行為により設定情報を受信する相手となる他の電子機器を特定するので、電子機器の操作に不慣れなユーザであっても、容易に他の電子機器に格納された設定情報を電子機器に設定することができる。
【００７６】
（３３）上記課題を解決するために、本発明のシステムでは、上述の電子機器と、電子機器と通信回線を通じて通信可能なサーバ装置とを備え、電子機器は、情報を格納し当該情報を送受信する他の電子機器と通信可能な領域に入ると、自動的に他の電子機器と近距離無線通信を行って情報を受信し、受信した情報をサーバ装置に転送し、サーバ装置は、電子機器から転送された情報を受信して処理を行い、処理結果を電子機器に送信する。
【００７７】
本発明のシステムによれば、他の電子機器から受信した情報をサーバ装置に転送し、サーバ装置での処理結果を受信するので、本電子機器や他の電子機器では困難又は不可能な高度な処理をサーバ装置に実行させて、処理結果を利用することができる。
【００７８】
（３４）上記課題を解決するために、本発明のシステムでは、複数の上述の電子機器と、他の電子機器と通信可能な領域に入ると自動的に他の電子機器と近距離無線通信を行って複数の電子機器に対する設定情報を受信し、複数の電子機器のそれぞれに対して、対応する設定情報を分配する一括設定受信手段を備え、電子機器のそれぞれの制御手段は、一括設定受信手段から分配された設定情報に基づいてそれぞれの電子機器の設定を変更する。
【００７９】
本発明のシステムによれば、他の電子機器と通信可能な領域に入ると自動的に他の電子機器と近距離無線通信を行って複数の電子機器に対する設定情報を受信し、複数の電子機器のそれぞれに対して、対応する設定情報を分配する一括設定受信手段を備えるので、多種多様な電子機器が配置されたシステムにおいて一括して電子機器の設定を行うことができる。したがって、例えばＮＦＣタグ（他の電子機器に相当）にシステムに関する個人ごとのお気に入りの設定を格納しておき、自分のＮＦＣタグを一括設定受信手段に近づけることで、システムに含まれるすべての電子機器の設定を一括して自分の好みの設定にすることができる。
【００８０】
（３５）上記課題を解決するために、本発明のプログラムでは、コンピュータを、上述の電子機器における制御手段として機能させる。
【００８１】
本発明のプログラムによれば、上述の電子機器における制御手段をコンピュータにより実現でき、電子機器の設定を簡単にするという課題をソフトウェアによって解決することができる。
【図面の簡単な説明】
【００８２】
【図１】本発明を画像表示装置へ適用した第１の実施形態及び本発明を学習リモコンへ適用した第２の実施形態を示す図である。
【図２】本発明をレーダ探知機へ適用した第３の実施形態を示す図である。
【図３】本発明をレーダ探知機へ適用した第３の実施形態を示す図である。
【図４】本発明をナビゲーション装置へ適用した第４の実施形態を示す図である。
【図５】本発明をナビゲーション装置へ適用した第５の実施形態を示す図である。
【図６】本発明をナビゲーション装置へ適用した第６の実施形態を示す図である。
【図７】本発明をナビゲーション装置へ適用した第７の実施形態を示す図である。
【図８】本発明を複数の車載電子機器を含む乗用車へ適用した第８の実施形態を示す図である。
【図９】本発明を車両運行管理システムへ適用した第９の実施形態を示す図である。
【図１０】本発明をゴルフナビゲーション装置及びゴルフ練習支援装置へ適用した第１０の実施形態を示す図である。
【図１１】本発明をナビゲーション装置及びゴルフナビゲーション装置へ適用した第１１の実施形態を示す図である。
【図１２】本発明を偽造防止兼商品管理システムへ適用した第１２の実施形態を示す図である。
【図１３】本発明を医療施設・介護施設へ適用した第１３の実施形態を示す図である。
【図１４】本発明を宿泊客管理システムへ適用した第１４の実施形態を示す図である。
【図１５】本発明をスポーツジムの管理システムへ適用した第１５の実施形態を示す図である。
【発明を実施するための形態】
【００８３】
［画像表示装置への適用例］
図１を参照し、第１の実施形態について説明する。本実施形態は、本発明を画像表示装置に適用した例である。図１は、それぞれが本発明に係る電子機器の実施形態であるスマートフォン１００、携帯型ナビゲーション装置１１０、テレビ受信装置１２０、及びデジタルカメラ１３０を示す。スマートフォン１００、携帯型ナビゲーション装置１１０、テレビ受信装置１２０、及びデジタルカメラ１３０はそれぞれ、本発明における「他の電子機器」の一例ともなり得る。以下、スマートフォン１００が本発明に係る電子機器として機能し、テレビ受信装置１２０が本発明における他の電子機器として機能する場合を例に説明する。
【００８４】
テレビ受信装置１２０は、テレビジョン放送を受信して画面に表示する機能に加え、ＮＦＣ通信機能及び無線ＬＡＮ通信機能とを備え、ＮＦＣや無線ＬＡＮを経由して受信したコンテンツを画面に表示することができる。スマートフォン１００は、ＮＦＣ通信部と、無線ＬＡＮ通信部と、制御部と、タッチパネルディスプレイとを備える。
【００８５】
ＮＦＣ通信部は、本発明における第１の通信手段の一例である。ＮＦＣ通信部は、テレビ受信装置１２０と通信可能な領域に入ると、自動的にテレビ受信装置１２０と近距離無線通信を行って、スマートフォン１００の各部の設定を規定する設定情報を受信する。「自動的に」としてはA、例えば、ユーザによる操作を要しないことを意味するが、本例においては、スマートフォン１００がテレビ受信装置１２０と接触する程度の距離に近づいたことをきっかけに、近距離無線通信を行う。また、通信可能な領域とは、通信可能な範囲は、スマートフォン１００とテレビ受信装置１２０との相対的な位置関係により、テレビ受信装置１２０を意図した通信相手として、テレビ受信装置１２０以外の機器とは区別して特定できる範囲であればよいが、本例においては、スマートフォン１００とテレビ受信装置１２０とが接触する程度の範囲とする。接触させるという目に見える行為により、情報の受け渡しをする対象が視覚的に明確となる。
【００８６】
設定情報は、例えばタッチパネルディスプレイで表示する画像に関する情報である。具体的には、画像に関する情報としては、例えば静止画像に関する情報、動画像に関する情報などが挙げられる。また、画像は、例えば２Ｄ画像としてもよいし、３Ｄ画像としてもよい。例えば白黒画像としてもよいし、カラー画像としてもよい。動画像に関する情報としては、例えば、動画像と関連して再生される音声に関する情報や、動画像そのものの情報としてもよい。本例においては、ＮＦＣ通信部は、画像に関する情報として動画像の再生に必要な情報を受信する。また、ＮＦＣ通信部は、ＮＦＣ通信部は、無線ＬＡＮ通信部によるテレビ受信装置１２０との通信を可能とするための情報を受信する。
【００８７】
「画像に関する情報」は、当該画像の複製制限情報を含む。複製制限情報とは、例えば、不正なコピーを防ぐ技術（技術的保護手段）によりコピーを禁止されたコンテンツ、あるいはコピー回数が制限されたコンテンツ等、複製に関する制限が課せられたものか否かに関する情報である。制御部は例えば、制限の内容に応じて続きの画像の表示を取りやめたり、テレビ受信装置１２０における表示を停止させるよう促して、制限に抵触することを回避しつつ続きを表示させたりといった、制限の内容に応じた制御をする。
【００８８】
複製制限情報が複製を許容しない旨を示す場合、制御部は、テレビ受信装置１２０が当該画像を表示している間、テレビ受信装置１２０が表示している当該画像をタッチパネルディスプレイに表示させないように制御する。より具体的には、制御部は、テレビ受信装置１２０から当該画像の表示を終了した旨の通知を受け取らない限り当該画像を表示しないように制御する。著作権保護の観点から、瞬間的にはスマートフォン１００とテレビ受信装置１２０のどちらでも画像が表示されないようにすることが望ましい。
【００８９】
一方、複製制限情報が複製を許容する旨を示す場合、制御部は、当該画像をスマートフォン１００のタッチパネルディスプレイに表示させるとともに、テレビ受信装置１２０に当該画像を表示させ続けるか否かの選択をユーザに促す出力制御を行い、ユーザの選択を入力し、当該入力内容に基づいてテレビ受信装置１２０で表示を行うか否かを制御する。例えば、テレビ受信装置１２０で表示している画像が複製を禁止されていないものである場合、当該画像の続きをスマートフォン１００に表示させるための操作が行われると、制御部は、当該画像の続きをスマートフォン１００に表示させる。それとともに、制御部は、テレビ受信装置１２０でもをそのまま当該画像の続きを表示させるか否かをユーザに選択させるように制御を行うとよい。また、複製制限情報が複数回の複製を許容するものである場合に、複製許容数に複数回の残数があるものについて、テレビ受信装置１２０に表示している表示させ続けるか、スマートフォン１００のみに表示させるかを選択できるように制御するとよい。
【００９０】
テレビ受信装置１２０で画像を表示し続けない場合、テレビ受信装置１２０での画像の表示を終了すると、テレビ受信装置１２０にはそれまでとは異なる画面表示となる。例えば、テレビ受信装置１２０にはテレビジョン放送を表示してもよいし、他の画像を表示させてもよい。また、画面に何も表示しなくてもよいし、ノイズ（いわゆる砂嵐）が表示されるようにしてもよい。スマートフォン１００での表示が始まった後、テレビ受信装置１２０で再度当該画像を再生することを禁止してもよい。
【００９１】
制御部は、本発明における制御手段の一例である。制御部は、ＮＦＣ通信部が受信した設定情報に基づいて、スマートフォン１００の設定を変更する。制御部は、画像に関する情報に基づき、スマートフォン１００のタッチパネルディスプレイにおける表示を制御する。その他、制御部は、スマートフォン１００の各構成要素に対する命令の送信及び各構成要素からのステータスの受信等を行って、スマートフォン１００全体の動作を統括する。
【００９２】
無線ＬＡＮ通信部は、本発明における第２の通信手段の一例である。無線ＬＡＮ通信部は、ＮＦＣ通信部が行う通信よりも通信容量の大きい通信を行う。無線ＬＡＮ通信部は、ＮＦＣ通信部が受信した無線ＬＡＮ通信部による通信を可能にするための情報を利用して、設定情報の残りの部分をテレビ受信装置１２０から受信する。
【００９３】
タッチパネルディスプレイは、本発明における表示手段の一例であり、制御部による制御に基づいて、画面に画像その他の情報を表示する。タッチパネルディスプレイは、表示機能に加えて、入力機能を備え、ユーザの操作入力を受け付ける入出力インターフェースとして機能する。
【００９４】
テレビ受信装置１２０は、画面にテレビジョン放送や動画コンテンツを表示する。また、テレビ受信装置１２０は、スマートフォン１００に対する設定情報をＮＦＣタグに格納する。設定情報は、例えば、ユーザの希望の設定情報であるが、本実施形態においては、テレビ受信装置１２０で表示している画像の続きをスマートフォン１００で表示させるための情報が設定情報となる。より具体的には、テレビ受信装置１２０の画面に表示している画像の続きをスマートフォン１００で表示させるための情報が設定情報となる。テレビ受信装置１２０は、近距離無線通信により、スマートフォン１００との間で設定情報を送受信する。
【００９５】
以上で説明したスマートフォン１００とテレビ受信装置１２０について、テレビ受信装置１２０がある動画像のファイルを再生表示した状態で、近距離無線通信が可能な領域に入ったときの動作を説明する。スマートフォン１００とテレビ受信装置１２０が通信可能な領域に入ると、それをきっかけにスマートフォン１００のＮＦＣ通信部はテレビ受信装置１２０と近距離無線通信を行って、設定情報としてテレビ受信装置１２０が表示している動画の続きをスマートフォン１００で表示させるための情報を受信する。続きをスマートフォン１００で表示させるための情報としては、例えば、最後に表示した画像の識別情報、続きとして最初に表示させる画像の識別情報、画像が動画である場合には続きとして表示させる再生位置の情報などが挙げられる。
【００９６】
制御部は、タッチパネルディスプレイに、テレビ受信装置１２０が再生しているファイル内で現在表示中の動画像の時間的位置よりも後の位置から画像を表示させる。なお、「スマートフォン１００のタッチパネルディスプレイに表示させるテレビ受信装置１２０で表示している画像の続き」は、これに限られず、ユーザが続きの画像が表示可能、表示されることが認識できる、または、表示されている、のいずれかとするとよい。例えば、テレビ受信装置１２０に表示中の画像よりも少し前の画像としてもよいし、テレビ受信装置１２０に表示中の画像としてもよい。
【００９７】
スマートフォン１００のタッチパネルディスプレイに画像が表示されていない場合には、制御部は、ＮＦＣ通信部が受信した当該設定情報に基づいて、テレビ受信装置１２０がテレビ受信装置１２０のタッチパネルディスプレイに表示している画像の続きをスマートフォン１００のタッチパネルディスプレイに表示させる。
【００９８】
一方、ＮＦＣ通信部がテレビ受信装置１２０が表示している画像に関する情報をテレビ受信装置１２０から受け取った時点でスマートフォン１００のタッチパネルディスプレイにも画像が表示されている場合には、制御部は、テレビ受信装置１２０が表示している画像とタッチパネルディスプレイが表示している画像のいずれをスマートフォン１００のタッチパネルディスプレイに表示するかの選択をユーザに促す出力制御を行い、ユーザによる選択の入力を検出すると、当該入力内容に基づいていずれをスマートフォン１００のタッチパネルディスプレイに表示させるかを制御する。具体的には、制御部は、ＮＦＣ通信部が、テレビ受信装置１２０が表示している画像に関する情報をテレビ受信装置１２０から受け取った時点で、スマートフォン１００が既に画像を表示している場合、テレビ受信装置１２０が表示している画像とスマートフォン１００が表示している画像の双方をスマートフォン１００のタッチパネルディスプレイに表示させてユーザにいずれか一方を選択するよう促す出力制御を行い、選択内容を入力する制御を行い、当該選択内容に基づいてテレビ受信装置１２０が表示している画像とスマートフォン１００が表示している画像のいずれか一方を表示させる。双方の画像をスマートフォン１００のタッチパネルディスプレイに表示させる場合、スマートフォン１００は、タッチパネルディスプレイの画面をそれぞれ半分ずつ利用して、テレビ受信装置１２０が表示している画像とスマートフォン１００が表示している画像を同じ大きさに表示するとよい。この場合、２つの画像の比較が容易であり、ユーザは選択を行いやすい。また、スマートフォン１００は、スマートフォン１００がもともと表示していた方の画像をテレビ受信装置１２０が表示していた画像よりも大きく表示してもよい。この場合、もともと表示している画像の試聴の妨害を少なくすることができる。の選択内容の入力は、例えば、表示させたい方の画像を画面の中央部に向けて指先で引きずる（例えばスライドさせる）動作とするとよい。タッチパネルがある機器に、選択インターフェースを表示。ブルーレイの機械にもＮＦＣがあって、テレビ受信装置１２０に表示せずにブルーレイの機械から直接タブレットに渡してもよい。
【００９９】
ハードディスクレコーダー等に録画したコンテンツをスマートフォン１００で視聴する際、著作権保護の観点から煩雑な設定が必要だが、ＮＦＣを使えば録画したコンテンツ再生する機器とスマートフォン１００との通信が確立した場合、両機器が同一の空間内でＮＦＣによる通信が可能な近距離に存在することが容易に確認できる。通信する機器同士を接触するほど近接させなければ通信ができないＮＦＣを利用することで、不特定多数の者への配信ではなく例えばある家庭内のような同一の空間内でしかも近距離でのコンテンツ利用であると推測することができる。例えば録画した映画をリビングで視聴中、スマートフォン１００をテレビ受信装置１２０またはレコーダーに近づけるだけで、画面がスマートフォン１００に移行し続きを寝室に移動しながら視聴出来る。さらに寝室のテレビに近づければ画面をそちらに移動するなども可能とする。物理的な動作で画面の移行が出来るので判り易い操作方法が提供できる。スマートフォン１００で試聴していたYoutubeの動画の続きをテレビ受信装置１２０で見ることもできる。また、再生中のデジタルカメラ１３０をテレビ受信装置１２０に近づければ再生画面をテレビ受信装置１２０に移行することができ、デジタルカメラ１３０で撮影した画像をテレビ受信装置１２０の大画面で確認することができる。
【０１００】
著作権保護が掛かったコンテンツを視聴する権利に関する情報を、ＮＦＣを鍵にリレーのバトンのように受け渡しながら伝える。この時、コンテンツを視聴する権利を誰から誰に渡すかという情報を設定情報として送受信するとよい。また、試聴するコンテンツのどの部分を表示するかに関する情報、及び、どこまで表示したかに関する情報をも、コンテンツを視聴する権利を授受する機器間で送受信してもよい。コンテンツの画像データそのものは無線ＬＡＮ等の通信容量の大きい通信手段を利用して送信してもよい。
【０１０１】
［学習リモコンへの適用例］
引き続き図１を参照し、第２の実施形態について説明する。本実施形態においては、タッチパネルディスプレイを有するスマートフォン１００が本発明に係る電子機器に相当し、リモコンを利用して操作可能である携帯型ナビゲーション装置１１０、テレビ受信装置１２０、デジタルカメラ１３０、レーダ探知機１４０、及び洗濯機１５０が他の電子機器に相当する。以下では、スマートフォン１００が本発明に係る電子機器として機能しテレビ受信装置１２０が本発明における他の電子機器として機能する場合を例に説明する。本実施形態において、スマートフォン１００及びテレビ受信装置１２０は、いずれも近距離無線通信と無線ＬＡＮ通信の両方ができるよう構成されているものとする。
【０１０２】
スマートフォン１００は、第１の実施形態と同様なので、冗長な記載を避けるべく、差異のない内容についてはここでの説明を省略する。
【０１０３】
ＮＦＣ通信部は、スマートフォン１００に対する設定情報を送信するテレビ受信装置１２０と通信可能な領域に入ると、自動的にテレビ受信装置１２０と近距離無線通信を行って、スマートフォン１００の各部の設定を規定する設定情報を受信する。テレビ受信装置１２０は、自身を操作するためのリモコンに関する設定情報を保持しており、スマートフォン１００との近距離無線通信でその設定情報を送信する。本実施形態における設定情報は、テレビ受信装置１２０を操作するためのリモコンに関する情報である。具体的には、例えば、リモコンのボタン配置、各ボタンのデザイン、各ボタンを押したときに送信すべきリモコンコード、テレビ受信装置１２０のＩＰアドレス等の情報が設定情報となる。
【０１０４】
制御部は、リモコンに関する情報に基づき、スマートフォン１００のタッチパネルディスプレイにテレビ受信装置１２０のリモコンを模擬してボタンを表示させる。
【０１０５】
無線ＬＡＮ通信部は、近距離無線通信よりも通信距離が長い無線ＬＡＮを利用してテレビ受信装置１２０との無線通信を実現する。
【０１０６】
ユーザのタッチパネルディスプレイに表示した各ボタンの押下を検出すると、制御部は、押されたボタンに対応するリモコンコードを、無線ＬＡＮ通信部を介してテレビ受信装置１２０に送信する。テレビ受信装置１２０は、リモコンコードを受信してユーザが押したボタンに対応する設定を行う。例えば、ユーザがスマートフォン１００のタッチパネルディスプレイに表示された音量を上げるボタンを押したときには、テレビ受信装置１２０は無線ＬＡＮを介して音量を上げることを指示するリモコンコードを受信し、これに応じて音量を上げるよう設定を行う。
【０１０７】
本実施形態では、家電のリモコンとしてスマートフォンを使えるようＮＦＣを「設定の鍵」として利用する。ＮＦＣの通信距離ではリモコンとして使うには不足するため、実際の操作にはＷｉ−Ｆｉを利用する。各家電にＷｉ−Ｆｉ機能とＮＦＣを搭載し、スマートフォンにはリモコン用のアプリケーションを用意する。混信を防ぐためとボタン配置などの設定をするため、最初に一度だけＮＦＣを用いて各家電とネゴシエーションを行う、スマートフォンと各機器を近づけリンクするだけで、必要な設定が全て自動で行うことができ、あとは通常のリモコンと同じ様に操作することができる。
【０１０８】
リモコンコードをスマートフォンから家電へと送信するときにＷｉ−Ｆｉを利用するため途中に障害物があってもリモコン操作が行える。スマートフォンはＷｉ−Ｆｉを利用して各機器と双方向の通信を行うことができる。洗濯機などは別の部屋からでも状態が確認できるので残り時間や洗濯終了を知ることもできる。スマートフォンの画面切替えだけで複数の家電が操作でき、多数のリモコンが氾濫したり、リモコンを紛失したりといったトラブルも回避できる。
【０１０９】
タッチするだけで、リモコンコードが各家電からスマートフォンに伝わるので、従来の学習リモコンよりも設定が簡単である。また、各家電と最初の一度だけＮＦＣでネゴシエーションを行えばボタン配置などの煩わしい設定が自動で行われ混信防止の紐付けも同時に行うことができる。
［レーダ探知機への適用例］
【０１１０】
図２および図３を参照し、第３の実施形態について説明する。本実施形態においては、レーダ探知機３００が本発明に係る電子機器に相当し、タブレットコンピュータ３２０、ノートパソコン３４０、及びスマートフォン３６０が他の電子機器に相当する。以下では、レーダ探知機３００が本発明に係る電子機器として機能しタブレットコンピュータ３２０が本発明における他の電子機器として機能する場合を例に説明する。
【０１１１】
レーダ探知機３００は、レーダ式速度測定器、自動速度違反取締装置（通称“オービス”）などから発射されるレーダ波を検知し、チャイム音やＬＥＤ点滅、文字表示、音声アナウンスなどでレーダ波の検知を知らせるレーダ探知機である。レーダ探知機３００は、ＮＦＣ通信部、無線ＬＡＮ通信部、制御部、位置情報取得部、データベース、レーダ探知部、及びインターフェース部を備える。
【０１１２】
制御部は、本発明における制御手段の一例である。その他、制御部は、レーダ探知機３００の各構成要素に対する命令の送信及び各構成要素からのステータスの受信等を行って、レーダ探知機３００全体の動作を統括する。レーダ探知部は、所定の周波数のレーダ波を検知し、そのことを制御部に伝える。
【０１１３】
インターフェース部は、ユーザの操作を受け付ける入力機能と、ユーザに対し情報を提示する出力機能とを備える。入力機能は、操作ボタン、タッチパネル、マイク等で実現され、出力機能は、液晶ディスプレイ、ＬＥＤ（発光ダイオード）、スピーカ等で実現される。
【０１１４】
データベースは、交通監視ポイントの位置情報、レーダ波を検出しても無視すべき位置であるキャンセルポイントの位置情報、過去に報知を行った地点の位置情報等を格納する。位置情報取得部は、本発明における位置情報取得手段の一例であり、例えばＧＰＳ（Global Positioning System、全地球測位システム）により構成される。位置情報取得部は、レーダ探知機３００の現在の位置情報を取得する。
【０１１５】
ＮＦＣ通信部は、本発明における第１の通信手段の一例であり、近距離無線通信を可能とする通信手段である。無線ＬＡＮ通信部は、本発明における第２の通信手段の一例であり、近距離無線通信よりも通信容量の大きく、通信距離の長い無線ＬＡＮ通信部を可能とする。
【０１１６】
上記のような構成のレーダ探知機３００は、下記の要領でレーダ波を探知したことをユーザに報知する。制御部は、レーダ探知部からレーダ波を検知した旨が伝えられると、位置情報取得部から現在の位置情報を取得し、データベースに現在の位置情報を照会して、現在位置がキャンセルポイントに該当しないかを確認する。現在位置がキャンセルポイントに該当する場合、制御部はインターフェース部に報知をさせない。一方、現在位置がデータベースに登録されているキャンセルポイントに該当しない場合、交通監視ポイントの位置情報及び制御部は過去に報知を行った地点の位置情報に基づき、現在位置を新たなキャンセルポイントに設定すべきか否かを判定する。現在位置を新たなキャンセルポイントに設定すべきと判断した場合、制御部は、現在の位置情報をキャンセルポイントとしてデータベースに自動的に登録するとともに、報知をせずに処理を終える。現在位置を新たなキャンセルポイントに設定すべきでないと判断した場合、制御部はインターフェース部を制御してチャイム音やＬＥＤ点滅、文字表示、音声アナウンスなどでレーダ波を検知したことをユーザに知らせる。ユーザは、その位置で交通監視が行われていないことを確かめた場合に、レーダ探知機３００を操作することで、現在位置をキャンセルポイントとしてデータベースに手動で登録することができる。
【０１１７】
上述のように、データベースにはキャンセルポイントが自動的に又は手動で登録され、蓄積されていく。レーダ探知機３００では、キャンセルポイントの他にも、交通監視が行われるポイント等を自動的に又は手動で登録することもできる。レーダ探知機３００は、このようにして蓄積される位置情報に対して位置情報の修正や名称付与等の編集機能を有する。ただし、レーダ探知機３００の有するインターフェースの制約から編集機能の操作性は必ずしも良好とは言えない。
【０１１８】
タブレットコンピュータ３２０は、近距離無通信機能、及び無線ＬＡＮ通信機能を備えた汎用のタブレット型の端末である。タブレットコンピュータ３２０には、レーダ探知機３００のデータベースに登録されたデータを編集する機能を提供するアプリケーションがインストールされており、ユーザはこのアプリケーションを利用してレーダ探知機３００におけるよりも高い自由度でデータを編集することができる。
【０１１９】
タブレットコンピュータ３２０においてデータを編集する機能を提供するアプリケーションを“データ読み出しモード”に設定した状態で、レーダ探知機３００がタブレットコンピュータ３２０と近距離無線通信可能な領域に入ると、レーダ探知機３００のデータベースに格納されている情報がＮＦＣ通信部を介してタブレットコンピュータ３２０に送信される。
【０１２０】
ユーザは、タブレットコンピュータ３２０のアプリケーションを利用して、レーダ探知機３００から読み出したデータを高い自由度で編集する。編集が終わったデータをレーダ探知機３００のデータベースに上書きするには、タブレットコンピュータ３２０のアプリケーションを“データ上書きモード”に設定した状態で、レーダ探知機３００をタブレットコンピュータ３２０と近距離無線通信可能な領域に入れる。すると、レーダ探知機３００のＮＦＣ通信部は、タブレットコンピュータ３２０から編集済みのデータを近距離無線通信により受信し、受信したデータを制御部がデータベースに格納する。このようにして、レーダ探知機３００のデータベースに格納されたデータをタブレットコンピュータ３２０の自由度の高い編集機能を利用して編集し、簡単にレーダ探知機３００に書き戻すことができる。
【０１２１】
ところで、ユーザに対して適切に報知を行うために、レーダ探知機３００のデータベースに格納されている各種の位置情報は、最新の情報に更新される必要がある。従来のレーダ探知機では、パソコンを用いて更新データをメモリカードに書き込んでおき、そのメモリカードをレーダ探知機に挿入して、更新データをレーダ探知機に読み込ませていた。
【０１２２】
以下で説明するように、本実施形態のレーダ探知機３００は、タブレットコンピュータ３２０との通信によって更新データを受け取り、データベースを更新する。タブレットコンピュータ３２０は、更新データを配信するサーバ３８０からインターネット、３Ｇ（第３世代移動通信システム）、ＬＴＥ（Long Term Evolution、ロング・ターム・エボリューション）等のネットワーク経由で更新データを取得する。
【０１２３】
ユーザが、更新データを取得したタブレットコンピュータ３２０をレーダ探知機３００に接触させると、ＮＦＣ通信部は、タブレットコンピュータ３２０と近距離無線通信を行って、レーダ探知機３００から設定情報を受信する。ＮＦＣを利用することにより、周囲に多数のレーダ探知機が存在する状況においても、接触させたレーダ探知機３００のみに更新データを提供することができる。
【０１２４】
設定情報は、例えば交通監視ポイントの位置情報の更新データを含み、レーダ探知機３００は、近距離無線通信により更新データをタブレットコンピュータ３２０から受信してもよい。
【０１２５】
他の手法として、設定情報は、タブレットコンピュータ３２０と無線ＬＡＮ通信を行うために必要なＩＰアドレス等の情報、及び更新データを提供するための鍵情報（例えばＩＤやパスワード）であってもよい。レーダ探知機３００は、タブレットコンピュータ３２０から受信した鍵情報を、無線ＬＡＮ通信部を介してタブレットコンピュータ３２０へと送信し、更新データを受信することについての許可を受ける。そして、レーダ探知機３００は、無線ＬＡＮ通信部を介してタブレットコンピュータ３２０から更新データを受信する。この手法によれば、更新データのデータ量が近距離無線通信で許容されたデータ量よりも大きい場合であっても、データを転送できる。また、無線ＬＡＮ通信に必要な情報と鍵情報さえ近距離無線通信で受信できればよいので、レーダ探知機３００とタブレットコンピュータ３２０との接触は短時間でよい。
【０１２６】
制御部は、タブレットコンピュータ３２０から受信した更新データに基づき、データベースを更新する。レーダ探知機３００と通信可能な領域に更新データを格納したタブレットコンピュータ３２０を入れるだけで、煩雑な操作を要することなくデータベースを更新することができる。例えば、車両内部のような限られた空間においても、また、入出力インターフェースの操作性が良好とはいえないレーダ探知機３００においても、簡単に交通監視ポイントの位置情報に関するデータベースを更新することができる。また、タブレットコンピュータ３２０は、接触して近距離無線通信を行った相手の機器に限って更新データを提供することができる。したがって、無線ＬＡＮ通信が可能な範囲内に多数のレーダ探知機がある場合（例えば駐車場のような環境）であっても、意図したレーダ探知機にのみ更新データを送ることができる。また、意図せずレーダ探知機３００のデータベース内のデータを更新されることを防ぐことができる。
【０１２７】
今までのパソコンやメモリカードを用いた更新方式と違い全ての作業をその場で完結することができる。家のパソコンを起動したり、メモリカードを持ち運んでデータを移し替える手間が不要となりいつでもどこでもその場で容易に最新情報に更新可能となる。さらに専用アプリを用意すれば、パソコン操作より簡単に更新作業が行え、パソコンスキルの低いユーザや煩わしさで更新を考えなかったユーザ層など未開のユーザを開拓できる機会を増やすことができる。レーダ探知機３００からメモリカード読書き機能が不要となりＮＦＣ機能に置換えると、カード装着部品や筐体に開口部を設ける必要が無くなりコストやデザイン面も有利となる。スマートフォンやタブレットの普及によりパソコンを持たないユーザが増加している。またＬＴＥなど高速通信の普及によりモバイル端末で大容量データを扱えるインフラも整備されている。パソコンやメモリカードの使用を強いず、多様化な更新方法を提供できる。
【０１２８】
データの更新にパソコンやメモリカードの使用を強いない。データ更新の敷居を低く簡単にすることができる。レーダは、取締りの場所がアップデートされるのでデータを書き換えないと効果がないが、今まではＰＣやメモリカードにいれてファームウェアを交換していた。これをスマートフォンやタブレットを利用して、簡単にデータを更新することができるようになる。ＰＣ持っていない人であっても、スマートフォンやタブレットでサーバからデータを取り込み、それを近距離無線通信で転送できる。
【０１２９】
キャンセルポイントなどの登録情報や各種設定をスマートフォンやパソコンで編集できるアプリを用意し、整理したデータをレーダ探知機３００に転送する。スマートフォンやパソコンの地図サービスを利用し、登録位置を詳細に確認したり、位置を調整したり新たな位置の登録も可能とする。さらに不要になった地点を削除したりと、今までレーダ探知機３００の小さな画面、車内という小さな空間で強いられてきた編集作業をスマートフォンやパソコン、タブレットの大きな画面で快適に編集可能となる。
【０１３０】
キャンセルポイント等の登録は従来通りレーダ探知機３００で実行することができる。レーダ探知機３００は、ＮＦＣを用いスマートフォンやパソコンなどに登録情報を転送する。タブレットコンピュータ３２０において専用のアプリケーションを使って登録情報を整理／編集する。整理した情報は再度ＮＦＣを用いレーダ探知機３００に書き戻す。
【０１３１】
同様の登録情報の吸出し、整理／編集、書き戻しのプロセスは、カーナビゲーションシステムにも適用できる。カーナビゲーションシステムの中の地点の情報をＮＦＣを経由してタブレットに吸い出して、タブレットで編集し、ＮＦＣを介してナビに書き戻す。カーナビゲーションシステムは操作上の制約が大きく、タブレットの編集手段は操作上の制約が少ない。従来は、現地に行ってＧＰＳ等のセンサで取得した位置情報を、ユーザが指定したタイミングで登録し、ナビ内で名称付などの編集を行っていた。これによれば、車内という小さな空間で強いられた困難な編集作業を改善することができる。
【０１３２】
［ナビゲーション装置への適用例１］
図４を参照し、第４の実施形態について説明する。本実施形態は、本発明をナビゲーション装置に適用した例である。本実施形態においては、ナビゲーション装置４００が本発明に係る電子機器に相当し、ＮＦＣタグ４１０が他の電子機器に相当する。
【０１３３】
ナビゲーション装置４００は、車両のダッシュボード上に設置される薄型矩形状のケース本体を有する。ケース本体の前面には、表示部を備え、表示部上には表示部のどの部分がタッチされたかを検出するタッチパネルを備える。ナビゲーション装置４００は記憶部を備え、その記憶部には、地図データなどが記録されている。本ナビゲーション装置４００は、係るナビゲーションを行なう際の地図データを上記の記憶部に格納された地図データ等を利用して行なう。また、ナビゲーション装置４００は、ＮＦＣ通信部を備え、外部の電子機器が当該ＮＦＣ通信部と通信可能な領域に入ると、その電子機器と近距離無線通信を行って、電子機器から設定情報を受信する。ナビゲーション装置４００は、更に制御部を備え、制御部はＮＦＣ通信部が受信した設定情報に応じて、ナビゲーション装置４００の設定を行う。ナビゲーション装置４００は、現在地の位置情報を検出するＧＰＳ部と、現在地から設定された目的地までの経路を探索し、探索して得られた経路に従い案内するナビゲーション部をさらに備える。
【０１３４】
ＮＦＣタグ４１０は、所定（例えば数百バイト程度）のメモリ容量を持ち、近距離無線通信（例えば、１０ｃｍ程度の無線通信や機器同士を接触させる程度の距離を通信距離とする通信）が可能な薄型の電子機器であり、ステッカー、カード、キーホルダ、ストラップ等として形成される。ＮＦＣタグ４１０内のメモリには、ナビゲーション装置４００に対する設定情報が格納される。ＮＦＣタグ４１０が格納する設定情報は、例えば、目的地、「高速優先」や「一般道優先」などの検索条件、画面の表示モードなど、ナビゲーション装置４００に対する設定であればいかなるものであってもよい。１つのＮＦＣタグ４１０に複数項目の設定情報を格納してもよい。
【０１３５】
本実施形態のナビゲーション装置４００では、目的地を登録したＮＦＣタグ４１０をナビゲーション装置４００にかざすだけで直ぐに目的地設定を可能とする。目的地ごとに複数のタグを用意すれば、ナビゲーション装置４００のタッチパネルを操作して、長い登録地点リストをスクロールしながら目的地を探す煩わしさから開放され、簡単に素早く電子機器が苦手なユーザでも、タグをかざすだの簡単操作で目的地設定が可能となる。タグの表面に登録内容を書き込めるスペースを用意したり、タグそのものも色や形を複数用意したりして、簡単に識別できる工夫を施せば、設定がより簡単に行える。例えば、高速優先の設定をするＮＦＣタグであれば、高速道路の道路標識に似せた色や形状に形成するとよく、自宅を目的地に設定するＮＦＣタグは家の形に形成するとよい。ナビゲーション装置４００のＮＦＣ通信部は、複数のＮＦＣタグ４１０がまとめてかざされた場合に、それぞれのＮＦＣ４１０が格納する設定情報を受信するように構成するとよい。このような構成によれば、各設定項目についてのＮＦＣタグ４１０をまとめてかざすことで、ＮＦＣタグ４１０の組み合わせにより所望の設定を容易に行うことができる。例えば、高速優先の設定をするＮＦＣタグと自宅を目的地に設定するＮＦＣタグをまとめてかざすことにより、高速優先で自宅を目的地とする設定を一括して行うことができる。設定項目に応じたＮＦＣタグ４１０をまとめてかざすことにより他の設定項目についても自由な組み合わせで一括設定できるように構成可能なことは言うまでもない。
【０１３６】
ナビゲーション装置４００には現在地や地図上の任意の地点を簡単に登録できる機能を装備し、新しいＮＦＣタグを容易に作成できる仕組みを設ける。たとえば、現在地にもう一度来たいと思った時に、ナビゲーション装置をＮＦＣ書き込みモードに設定してＮＦＣタグ４１０をかざすことで、ＮＦＣタグ４１０に現在地を目的地として記憶させるようにする。また、ナビゲーション装置４００に対する複数の設定項目を一括してＮＦＣタグ４１０に書き込むことも可能とする。家族や会社など多人数で１台のクルマを共用している場合、個人別に好みの各種設定をそれぞれＮＦＣタグ４１０に書き込んでおけば、利用する者が自分のＮＦＣタグ４１０をナビゲーション装置４００にかざすだけで、瞬時にその人用の設定にナビゲーション装置４００の内容を切り替えることができる。また、ＮＦＣ機能を備えるスマートフォン４２０やタブレットコンピュータを用いて、市販のＮＦＣタグ４１０に設定情報を書き込むこともできる。例えば、スマートフォン４２０で目的地を検索し、検索結果の中から目的地の位置情報をＮＦＣタグ４１０に登録するとよい。また、目的地の住所、電話番号をナビゲーション装置４００に入力して検索し、見つかった地点をＮＦＣタグ４１０に登録してもよい。
【０１３７】
さらにスマートフォンやパソコンでＮＦＣタグ４１０に目的地を書き込めるアプリも用意し、新しいタグを作成できる環境を用意するとよい。記憶する設定内容を変更できるＮＦＣタグの書き込みスペースはペンで書いたり消したりできる素材で形成されることが好ましい。ＮＦＣタグ４１０に記録できるのは目的地だけでなく「高速優先」や「一般道優先」などの機能切替えも用意して目的地タグと組み合わせ、まとめてかざすだけで一度に希望の設定が実行できるようにするとよい。よく使う設定の組み合わせは、単語帳のように束ねて管理するとよい。
【０１３８】
本実施形態のナビゲーション装置４００によれば、ＮＦＣタグ４１０を近づけるだけでナビゲーション装置４００の各種設定を行うことができるので、操作に慣れない人でも簡単に設定を行うことができる。また、識別が容易なＮＦＣタグ４１０を用いるので、操作に慣れない人に操作を指示・依頼することが容易であり、操作ミスを防止することもできる。助手席に座っている人に運転者が設定を指示することも容易にできるし、遠隔地にいる人に対して設定方法を教示することも簡単である。
【０１３９】
目的地や好みの設定などは、各個人で異なるのが普通である。個人別に設定を登録したＮＦＣタグ４１０を用意するだけで全ての設定を一度に切替えられるので、逐一設定をしなおす必要や登録人数の制限などと言った規制もなく、全ての人が好みの環境でナビゲーション装置を使うことが可能となる。各個人の好みを登録したＮＦＣタグ４１０を個別に用意する。ＮＦＣタグ４１０は追加購入して必要分を幾らでも増やすことができる。乗車の際にナビゲーション装置４００にかざせば即時に中身が切替えられる。新たなＮＦＣタグ４１０の追加は一通り設定を行った後にＮＦＣタグ４１０への書出しを行う。レーダ探知機にも同様の機能を設ければレーダ探知機版個人別設定ＮＦＣタグ機能を設けることもできる。
【０１４０】
［ナビゲーション装置への適用例２］
図５を参照し、第５の実施形態について説明する。本実施形態は、本発明をナビゲーション装置に適用した例である。本実施形態においては、ナビゲーション装置５００が本発明に係る電子機器に相当し、スマートフォン５１０が他の電子機器に相当する。
【０１４１】
ナビゲーション装置５００の構成は、前述の「ナビゲーション装置への適用例１」で説明したナビゲーション装置４００と同様なので、差異のない事項についてのここでの説明は省略する。
【０１４２】
スマートフォン５１０は、ＮＦＣ通信部と、ネットワーク通信部と、制御部と、タッチパネルディスプレイとを備える。ＮＦＣ通信部は、近距離無線通信を可能とする通信手段である。ネットワーク通信部は、インターネット等のネットワークに接続してネットワークに接続された各種の情報にアクセス可能とする。制御部は、ナビゲーション装置への設定用アプリケーションを実行する。また、制御部は、スマートフォン５１０の各構成要素に対する命令の送信及び各構成要素からのステータスの受信等を行って、スマートフォン５１０全体の動作を統括する。
【０１４３】
ユーザは、スマートフォン５１０で目的地を検索し、目的地に関する各種の情報を取得するが、その際に目的地の位置情報（例えば、住所や緯度・経度）を合わせて取得し、設定用アプリケーションに目的地として登録する。位置情報と併せて、目的の名称も設定用アプリケーションに登録する。目的地の名称として、検索時に用いたキーワードを設定するとよい。その状態で、スマートフォン５１０をナビゲーション装置５００にかざすと、設定用アプリケーションに登録した目的地が近距離無線通信によりナビゲーション装置５００に送られ、ナビゲーション装置５００の制御部により目的地として設定される。また、この目的地がナビゲーション装置において登録スポットとして登録されていない場合、制御部は、その目的地を新たな登録スポットとして登録する。
【０１４４】
ＮＦＣ機能を搭載したスマートフォン５１０やタブレットコンピュータ５２０で検索した地点を即座に目的地として転送する。新しいレジャースポットや住所や名称を正確に知らない場所でも、僅かな情報を足がかりにネット検索で探し目的地の特定が可能となる。今までのナビゲーション装置５００は、ユーザが知らない場所やナビゲーション装置５００購入後に出来た場所を探すことが困難であったが、スマートフォン５１０やタブレットコンピュータ５２０と連携し、常に最新情報を取得できるナビゲーション装置５００に進化を続ける。スマートフォン５１０の音声検索で目的地を指定し転送することも可能とし、煩雑なボタン操作からの開放も可能とする。ナビゲーション装置５００のガイド情報に登録されてない最新スポットやローカル情報マクロ情報も、スマートフォン５１０やタブレットコンピュータ５２０のネット検索機能で調べてナビゲーション装置５００に目的地転送が可能である。名前しかわからない等のあいまいな情報をタブレットコンピュータ５２０やスマートフォン５１０で検索し、ＮＦＣを介してナビゲーション装置５００に登録する。タブレットコンピュータ５２０やスマートフォン５１０での検索キーワードを登録名とし、位置情報とともにＮＦＣ転送する設定情報とする。地図とナビゲーション装置の表示とを照らし合わせて登録する従来の手法より簡単であり、操作に慣れないユーザであっても容易に新たな目的地を設定できる。
【０１４５】
［ナビゲーション装置への適用例３］
図６を参照し、第６の実施形態について説明する。本実施形態は、本発明をナビゲーション装置に適用した例である。本実施形態においては、ナビゲーション装置６００が本発明に係る電子機器に相当し、スマートフォン６１０が他の電子機器に相当する。
【０１４６】
ナビゲーション装置６００およびスマートフォン６１０の構成は、それぞれ前述の「ナビゲーション装置への適用例２」で説明したナビゲーション装置４００およびスマートフォン４１０と同様なので、差異のない事項については、ここでの説明は省略する。
【０１４７】
ユーザは、スマートフォン６１０でＳＮＳ（ソーシャル・ネットワーキング・サービス）を利用し、当該ＳＮＳで興味のあるカテゴリを設定する。ＳＮＳとしては、例えばＦａｃｅｂｏｏｋ、Ｔｗｉｔｔｅｒ、Ｍｙｓｐａｃｅ、ＬｉｎｋｅｄＩｎ、ｍｉｘｉ、ＧＲＥＥ、Ｍｏｂａｇｅ、Ａｍｅｂａ等が挙げられるが、これらに限定されるものではない。ユーザは、ＳＮＳにおいて、いわゆる「タイムライン」と呼ばれるユーザ自身及びユーザが選択した他のユーザの投稿や選択したキーワードに関する投稿を時系列に表示したＳＮＳ投稿情報を取得するよう登録する。また、ユーザは、ナビゲーション装置６００に目的地を設定して、目的地までの案内を開始させる。ユーザは、例えば目的地に向けて出発するタイミングで、スマートフォン６１０にナビゲーション装置６００をかざして、ＳＮＳ投稿情報を近距離無線通信を利用してナビゲーション装置６００に送信する。ナビゲーション装置６００に送信するＳＮＳ投稿情報は、所定の期間（例えば過去１時間分）の投稿情報とするとよい。改めてスマートフォン６１０をかざさない限りナビゲーション装置６００側の情報は更新されない。
【０１４８】
ナビゲーション装置６００のナビゲーション部は、スマートフォン６１０から取得したＳＮＳ投稿情報を解析して目的地までの案内ルートの沿線のスポットの情報を抽出し、ユーザに提示する。ナビゲーション部は、抽出したスポットまで所定の距離に近づいたときに、表示部に表示している地図上にアラートを表示するとよい。ＳＮＳ投稿情報の解析において、ユーザがあらかじめ設定したカテゴリの情報を抽出してもよいが、ＳＮＳ投稿情報に含まれる一連の情報をクラスタリングして、ユーザの興味関心が高いカテゴリを推測し、自動的に抽出するカテゴリを決定すると更によい。なお、ＳＮＳ投稿情報の大まかな絞り込みはスマートフォンでおこない、詳細な情報処理はナビゲーション装置６００でおこなうとよい。近距離無線通信で送信すべき情報量を抑制できるとともに、処理の分担によりトータルの処理時間を短縮できる。
【０１４９】
ナビゲーション部は、ＯＢＤ（On-board diagnostics）を利用して車両の状態に関する車両情報の受け取り、スポットの情報を車両情報に基づき選択的にユーザに提示する。例えば、ナビゲーション部は、ＯＢＤを利用してガソリン残量を受け取り、ガソリン残量が所定値以下である場合にＳＮＳ投稿情報から、案内ルート沿線の単価の安い給油所の情報を抽出し、当該給油所を目的地に追加することを促すボタンを表示部に表示させる。ユーザは、表示されたボタンを押して目的地の追加をしてもよいし、ボタンを押さずに目的地の追加を見送ってもよい。目的地の追加がなされることなく所定時間が経過すると、ナビゲーション部は、表示部へのボタン表示を終了させるとともに、表示部に表示されている地図における当該給油所に対応する位置に給油所を示すアイコンを表示させる。その後ユーザがアイコンを押した場合、ナビゲーション部は、当該急所を目的地に追加することを促すボタンを表示部に再表示させる。電気自動車に設置されたナビゲーション装置５００であれば、ＯＢＤを利用してバッテリーの残量を受け取り、残量が所定値以下である場合にＳＮＳ投稿情報から充電スタンドの情報を抽出してユーザに提示するとよい。
【０１５０】
また、ナビゲーション部は、スポットの情報を現在の時刻に基づき選択的にユーザに提示する。例えば、ナビゲーション部は、現在の時刻がランチタイムに近い場合に、ＳＮＳ投稿情報から案内ルート沿線のレストランや評判の店の情報を抽出し、抽出された店を目的地に追加することを促すボタンを表示部に表示させる。ナビゲーション部は、ＳＮＳ投稿情報における投稿者の推薦（例えば「いいね」や「リツイート」）が多い情報を優先してユーザに提示するとよい。食事時の時間（例えば正午）の前後３０分間にレストランに関する情報を表示するようにしてもよいし、あらかじめ決められた時刻（例えば１４時）までで情報の表示を打ち切るようにしてもよい。表示の打ち切り時間を決める場合には、店の平均的な営業終了時間を考慮して決定するとよい。ナビゲーション部は、ＳＮＳ投稿情報の文字列に基づいてユーザに提示する店を選別する。例えば、ナビゲーション部は、ＳＮＳ投稿情報の文字列に基づいて各店にスコアを付け、スコアに応じて提示の優先度を決定する。「おいしかった」、「安い」、「お得」等の文字列が含まれた投稿で言及されている店についてはスコアを増加させ、「休み」、「残念」等の文字列が含まれた投稿で言及されている店についてはスコアを減少させるとよい。
【０１５１】
また、ナビゲーション部は、ＳＮＳ投稿情報におけるユーザ自身の発信した情報を重視してＳＮＳ投稿情報を解析するとよい。例えばユーザが発信した情報に「お腹が空いた」という文字列が含まれていれば、レストランに関する情報を優先的に提示する。
【０１５２】
ナビゲーション部は、最後にユーザがスマートフォン６１０をナビゲーション装置６００にかざしてＳＮＳ投稿情報を受け取ってから経過した時間に応じて、スポットの情報をユーザに提示する頻度を変更する。例えば、ナビゲーション部は、ＳＮＳ投稿情報を受け取った直後は頻繁に情報を提示し、時間が経過するとともに情報を提示する頻度を低下させる。ユーザがスマートフォン６１０をナビゲーション装置６００にかざすことは、スポット情報を欲しているという意思表示と考えられるので、ＳＮＳ投稿情報を更新した直後に案内ルート周辺のスポット情報を提示することが好ましい。また、長期間にわたりＳＮＳ投稿情報を更新しないときには、ユーザは現行の目的地に到着することに集中している可能性が高いので、情報提示の頻度を低くすることが好ましい。長期間にわたりＳＮＳ投稿情報を更新しないときに、ナビゲーション装置６００は、ＳＮＳ投稿情報を更新するようユーザに促すとよい。単に更新を忘れているユーザに、ＳＮＳ投稿情報を更新することを思い出させることができる。
【０１５３】
上述のナビゲーション装置６００によれば、安いガソリンスタンドやグルメスポットなど興味のあるカテゴリをスマートフォン６１０に設定しておけばＳＮＳなどから情報を自動的に入手してＮＦＣを使ってナビゲーション装置６００に転送し、その場所に近づいた時にナビゲーション装置６００からアラートすることができる。目的地登録より若干弱めの扱いとし、通りがかった沿道の情報を適時教えてくれる仕組みにするとよい。ＯＢＤと連携させれば、ガソリン残量が少ない時にのみガソリンスタンド情報が上がってきたりグルメ情報は時計と連動し、食事時だけアラートされるなど人口知能で制御されたように整理された情報のみが上がってくるように仕込んでおくとよい。
【０１５４】
予め求めるカテゴリの情報をクルマの状態や時刻に合せスマートフォン６１０やタブレットがＳＮＳ情報から調べてナビゲーション装置６００に転送が可能となる。付近を通り掛かった時にタイミングよく通知する。ナビゲーション装置は、目的地にする程でないが有益で知りたい情報を時間と場所に応じ告知する。目的地ではなく、ルート検索した沿道（ルート沿い）におすすめのお店（食事時ならレストランや評判の店）があるときに表示する。必要なことをナビが感知して、情報を教えてくれる。ＳＮＳ上に流れている情報をスマートフォン６１０やナビゲーション装置６００で走行場所、時間帯等で絞り込み、通知する。「いいね」の数が多い場所、観光地のおすすめ、絶景ポイント、撮影ポイントなど、ＳＮＳで話題になっているスポットの近くまで折角きたのに素通りしないように、案内ルート沿いの情報がナビゲーション装置６００により自動的に提示される。
【０１５５】
［ナビゲーション装置への適用例４］
図７を参照し、第７の実施形態について説明する。本実施形態は、本発明をナビゲーション装置に適用した例である。本実施形態においては、ナビゲーション装置６００が本発明に係る電子機器に相当し、スマートフォン６１０が他の電子機器に相当する。
【０１５６】
ナビゲーション装置７００およびスマートフォン７１０の構成は、それぞれ前述の「ナビゲーション装置への適用例２」で説明したナビゲーション装置４００およびスマートフォン４１０と同様なので、差異のない事項については、ここでの説明は省略する。
【０１５７】
本例のナビゲーション装置７００は、ナビゲーション部により目的地までの案内ルートを検索することができるが、より高度な解析を行って得られる案内ルートを外部のサーバ装置７２０から取得することもできる。
【０１５８】
サーバ装置７２０から案内ルートを取得する場合、ユーザは、ナビゲーション装置７００を“クラウドナビゲーションモード”に設定した状態で、スマートフォン７１０をかざす。すると、現在地、目的地及びナビゲーション装置７００に格納されていた過去の走行ログが近距離無線通信により、スマートフォン７１０に送信される。このとき、ユーザはスマートフォン７１０に送信する走行ログデータを選択することができる。例えば、プライバシー保護する観点で、自宅周辺の走行ログデータは送信しないように設定することができる。走行ログは、スマートフォン７１０をナビゲーション装置７００に接触させない限り、送信されない。また、スマートフォン７１０をナビゲーション装置６００に接触させると、ナビゲーション装置７００の画面に「走行ログを送信してよいですか？」等の意思確認の表示をおこなうとよい。
【０１５９】
スマートフォン７１０は、ナビゲーション装置７００から受信した現在地、目的地、及び走行ログを、ネットワーク通信部を介してサーバ装置７２０に転送する。サーバ装置７２０は、ナビゲーション装置７００の走行ログデータを格納し、以後の解析に用いる。他のユーザが利用するナビゲーション装置からも同様に走行ログデータが収集され、サーバ装置７２０での解析に利用される。
【０１６０】
サーバ装置７２０は、現在地から目的地までの案内ルートを検索する。サーバ装置７２０で行われる検索では、収集した多数の走行ログデータ、交通情報や工事情報、季節、曜日、時間帯等の種々のデータを用いて、現時点で最も効率的なルートの選定を行う。例えばサーバ装置７２０は、収集した走行ログデータから、込みやすい道、常にすいている道、平均スピード等を計算し、ルート選定の判断材料とする。
【０１６１】
サーバ装置７２０は、選定した案内ルートをスマートフォン７１０に返送する。その後ユーザがスマートフォン７１０をナビゲーション装置７００にかざすことで、サーバ装置７２０から送られた案内ルートがナビゲーション装置７００に転送される。ナビゲーション装置７００のナビゲーション部は、サーバ装置７２０が選定した案内ルートに従って、ユーザを目的地まで案内する。このように、サーバ装置７２０に走行ログデータを提供することを条件に、サーバ装置７２０による高度な解析を利用できる。
【０１６２】
ナビゲーション装置７００の走行ログをＮＦＣ搭載スマートフォン７１０で吸上げ、ネット上の渋滞情報と照合し、次回のルート検索に役立てる。ナビゲーション装置７００を単なるルート案内だけでなく過去の実績を解析し「いつ出発するのが効率的か」「どのルートが空いていたか」なども考慮した高度なルート作成を行える情報ツールに昇華させることができる。多数ユーザから走行ログを集める解析センターを立上げ、様々な走行ログを複合的に解析し、ルート選びの学習機能を進化させる。季節／曜日／時間帯なども総合的に判断し、最も効率的なルート選定を行えるクラウド型ナビゲーションシステムを構築する。電気自動車の場合は、充電スタンドを考慮したルートと充電タイミングの告知、充電スタンドの混雑状況や予約も可能とする。
【０１６３】
解析センターにログが集まれば集まるほど進化が進み、ルート選定の完成度が高まる。将来的にナビゲーション装置７００は地図表示に特化して、ルート検索までは解析センターが担当し、スマートフォンで受信して表示する装置としてもよい。
【０１６４】
従来のナビゲーション装置は道路の区間距離や車線数、制限速度や右左折の数などを計算しルート検索しているが、本例のナビゲーション装置ではそれに加え、走行ログから平均速度や道路毎の混雑状況、時間や天候などの要素を複合的に演算し、本当に快適なルートを検索出来るナビゲーション装置とする。イベント等で多数のユーザが同じ目的地を検索した場合クラウド型なら意図的に分散したルートを提示し、同じルートに集中するのを避け渋滞を回避することができる。
【０１６５】
ナビゲーション装置の走行ログをＮＦＣで吸上げるスマートフォンの通信機能で解析センターに送り当日の渋滞情報などと照合し次回のルート選定の解析情報にする情報をＮＦＣで吸上げ、本当に最適なルート選定を行う。実際の走行ログを多数解析して利用するので、走れば走るほどルートの精度が向上する。全国から集まった解析結果と道路工事や天気など副次的要素も交え、ルート選定の情報源とする。
【０１６６】
［複数の車載電子機器を含む乗用車への適用例］
図８を参照し、第８の実施形態について説明する。本実施形態は、本発明を複数の車載電子機器を含むシステムである乗用車に適用した例である。本実施形態においては、複数の車載電子機器を含む乗用車８００が本発明におけるシステムに、ナビゲーション装置８１０、レーダ探知機８２０が本発明に係る電子機器に相当し、ＮＦＣタグ８３０が他の電子機器に相当する。
【０１６７】
ナビゲーション装置８１０およびレーダ探知機８２０の構成は、それぞれ前述の「ナビゲーション装置への適用例１」で説明したナビゲーション装置４００および「レーダ探知機への適用例」で説明したレーダ探知機３００と同様なので、差異のない事項については、ここでの説明を省略する。また、ＮＦＣタグ８３０の構成は、「ナビゲーション装置への適用例１」で説明したＮＦＣタグ４１０と同様であり重複する説明は省略するが、ＮＦＣタグ８３０のメモリには、ナビゲーション装置８１０およびレーダ探知機８２０に対する設定情報が格納されている。
【０１６８】
乗用車８００は、ナビゲーション装置８１０およびレーダ探知機８２０を含む複数の電子機器に対する設定情報を一括して受信するための一括設定部が設けられる。一括設定部は、運転者が操作しやすい位置に配置されるとよく、具体的にはイグニッションスイッチの近くに設けられるとよい。この場合、ＮＦＣタグ８３０はイグニッションキーに埋め込まれ、一括設定部は、イグニッションスイッチのキーシリンダーにイグニッションキーを差し込むと一括設定部とＮＦＣタグ８３０とが通信可能となるように配置されるとよい。一括設定部は、ナビゲーション装置８１０およびレーダ探知機８２０を含む複数の電子機器に対し設定情報を分配できるよう配線されている。
【０１６９】
一括設定部にＮＦＣタグ８３０をかざすと、ＮＦＣタグ８３０のメモリに格納されているナビゲーション装置８１０およびレーダ探知機８２０に対する設定情報が一括設定部に送信され、一括設定部によりナビゲーション装置８１０およびレーダ探知機８２０にそれぞれに対する設定情報が分配される。ナビゲーション装置８１０およびレーダ探知機８２０は、それぞれ受け取った設定情報に基づいて設定が行われる。
【０１７０】
一括設定部にＮＦＣタグ８３０をかざすことによって複数の電子機器を設定した後で、個々の電子機器に対して個別に設定をやり直してもよい。例えば、「ナビゲーション装置への適用例１」で説明したように、ナビゲーション装置８１０に別の設定が格納されたＮＦＣタグをかざしてナビゲーション装置８１０に対する再設定を行ってもよい。ＮＦＣタグ８３０には、ナビゲーション装置８１０およびレーダ探知機８２０の設定の他、シートポジション、ミラーのポジションなどの設定を格納してもよい。シートポジションやミラーのポジションについては、個別にＮＦＣ通信による設定を行う機能が設けられなくてもよい。また、一括設定部は、乗用車８００内の各種設定を一括してＮＦＣタグに書き込む機能も備えるとよい。
【０１７１】
［車両運行管理システムへの適用例］
図９を参照し、第９の実施形態について説明する。本実施形態は、本発明を車両運行管理システムに適用した例である。本実施形態においては、運行ログ記録装置９００および管理端末９１０が本発明に係る電子機器に相当し、ＮＦＣタグ９２０が他の電子機器に相当する。
【０１７２】
運行ログ記録装置９００は、タクシー、トラック等の車両に搭載され、乗車時間、走行距離等の運行ログを記録し保存する。運行ログ記録装置９００はＮＦＣ通信機能を備える。運行ログ記録装置９００は、「複数の車載電子機器を含む乗用車への適用例」において説明した一括設定部と同様、車両内の各種電子機器に対し設定情報を分配できるよう配線される。
【０１７３】
管理端末９１０はタクシー会社や運送会社に配備され、車両の運行ログを記録管理する端末である。管理端末９１０は、ＮＦＣ通信機能を備え、運行ログを格納したＮＦＣタグ９２０と通信可能な領域に入ると、ＮＦＣタグ９２０から運行ログを取得して記録する。
【０１７４】
ＮＦＣタグ９２０の構成は、「ナビゲーション装置への適用例１」で説明したＮＦＣタグ４１０と同様であり重複する説明は省略するが、ＮＦＣタグ９２０のメモリは、「ナビゲーション装置への適用例１」で説明したような、運転者の好みの各種設定情報に加えて当該ＮＦＣタグ９２０を保有する運転者に固有のＩＤを格納するとともに、運行ログ記録装置９００から読み出した運行ログの一時保管場所として機能する。
【０１７５】
車両の運転者は、走行前にＮＦＣタグ９２０を運行ログ記録装置９００にかざす。すると、運行ログ記録装置９００はＮＦＣタグ９２０から設定情報を受信して各種電子機器に対して分配するとともに、運転者のＩＤを受信して運行ログの記録を開始する。運行ログには、運転者のＩＤ、乗車時間、及び走行距離が記録される。設定情報を各種電子機器に設定すると、ＮＦＣタグ９２０からは運転者の好みの設定情報が消去される。走行開始前にＮＦＣタグをかざすことで運転者の好みの設定情報を各種電子機器にセットするとともに運行ログ記録装置９００にＩＤが記録されるので、運転者が走行開始前に自己のＩＤを運行ログ記録装置９００に設定し忘れることを防ぐことができる。
【０１７６】
走行後、車両の運転者は、再びＮＦＣタグ９２０を運行ログ記録装置９００にかざす。すると、運行ログ記録装置９００は運行ログの記録を終了して、ＮＦＣタグ９２０のメモリに運行ログを記録するとともに、運転者の好みの設定情報をＮＦＣタグ９２０のメモリに書き戻す。走行後にもＮＦＣタグ９２０をかざさなければ、お気に入りの設定情報を返してもらえないので、運転者がＮＦＣタグ９２０を運行ログ記録装置９００にかざし忘れることを防ぐことができる。走行後に運行ログをＮＦＣタグ９２０に読み込む運転者はＮＦＣタグを持って会社に戻り、会社の管理端末９１０にＮＦＣタグ９２０をかざす。管理端末９１０はＮＦＣタグから当該運転者の運行ログを近距離無線通信により取得して記録する。
【０１７７】
車両に専用ＮＦＣ機器を搭載し、乗車時間や走行距離などの運行ログを記録し保存する。ＮＦＣでデータを吸い上げ、帰社した時に専用端末にかざせば全ての記録を移行して運行管理が楽になる。それぞれの端末にＮＦＣタグをかざすだけで、簡単にミスのないログを保存し、ドライバー／事務処理者双方の負担を軽減する。手書きや目視などアナログ部分が介在しないので人的ミスを撲滅できる。
【０１７８】
［ゴルフナビゲーション装置及びゴルフ練習支援装置への適用例］
図１０を参照し、第１０の実施形態について説明する。本実施形態は、本発明をゴルフナビゲーション装置及びゴルフ練習支援装置に適用した例である。本実施形態においては、情報授受の方向に応じて、ゴルフナビゲーション装置１０００及びゴルフ練習支援装置１０１０の一方が本発明に係る電子機器に相当し、ゴルフナビゲーション装置１０００及びゴルフ練習支援装置１０１０の他方が他の電子機器に相当する。どちらの装置が設定情報の送信元になるかは、いずれかの装置の状態（例えば、起動しているアプリケーション、当該アプリケーションで設定された動作モード等）によって決定される。
【０１７９】
ゴルフナビゲーション装置１０００は、液晶ディスプレイ等の表示手段、コースレイアウト情報を含む地図情報を格納した地図データベース、ＧＰＳ等の位置情報取得手段を備え、位置情報取得手段が取得した現在位置、残りの距離や攻略法等を、ゴルフ場のコースレイアウトとともに表示手段に表示して、ゴルフ場でコースを回るユーザのプレイを支援する。また、ゴルフナビゲーション装置１０００は、１打毎に使用したクラブと打球の到達位置を記録して、詳細な履歴を残すことができる。
【０１８０】
ゴルフ練習支援装置１０１０は、ゴルフスイングの練習を支援する装置であり、クラブの選択とゴルフ練習支援装置が測定するスイング速度に基づいて、飛距離を推定し表示する。ゴルフ練習支援装置１０１０は、ゴルフコースを回ることをシミュレーションしながら練習するゲームモードを備える。ゲームモードでは、ゴルフ練習支援装置１０１０は、画面にゴルフ場のコースレイアウトを表示し、スイング毎に打球の球筋や到達位置を表示する。ユーザはゴルフ練習支援装置１０１０の表示を確認しながらコースを回るシミュレーションを行うことができる。なお、ゲームモードにおいては、クラブに加えて打球の方向を選択するとよいが、打球の方向を選択させずに、最短ルートにボールが落ちたとして到達位置を決定することもできる。ゴルフ練習支援装置１０１０は、練習時にユーザのスイングの癖などの情報を記録する。
【０１８１】
本実施形態のゴルフナビゲーション装置１０００及びゴルフ練習支援装置１０１０は、それぞれＮＦＣ通信部を備え、両装置を接触させることで近距離無線通信を行い、一方の装置が持つ情報を他方の装置へと受け渡す。例えば、ゴルフ練習支援装置１０１０は、コースレイアウト情報をゴルフナビゲーション装置１０００から受信し、受信したコースレイアウト情報を用いてゲームモードを提供する。これにより、ユーザは自分がこれから回る予定のコース、回りたいと思っているコース、過去に回ったコース等、実際のコースをシミュレーションしながら練習を行う。また、過去に回ったコースのコースレイアウトで練習する場合には、ゴルフナビゲーション装置１０００からそのコースを回ったときの、スコア、１打毎の打球位置及び到達位置等の履歴を受信する。そして、受信した履歴を分析して、ユーザにコースを攻略するための練習法をアドバイスする。
【０１８２】
また、ゴルフナビゲーション装置１０００は、ゴルフ練習支援装置１０１０からユーザのスイングの癖や特徴の情報を受信し、コース上でユーザを案内する時に、ユーザにスイングのアドバイスを行う。例えば、ユーザがアプローチショットでスイングスピードが遅くなり飛距離不足となる傾向がある場合に、コース上でのアプローチショットの場面で強めにスイングするようアドバイスすることができる。また、ゴルフナビゲーション装置１０００は、受信したスイングの特徴に基づき、ユーザが得意とすると思われるゴルフコースやユーザの課題克服に適したコースを抽出して推薦する。
【０１８３】
ゴルフ練習支援装置１０１０で練習した際の癖などがＮＦＣを交わしゴルフナビゲーション装置１０００に送られ、コース特性を加味したアドバイスを提供する。逆パターンもあり、ゴルフナビゲーション装置１０００でコースを回った時の情報をＮＦＣでゴルフ練習支援装置１０１０に送りコースを克服する為の練習法がアドバイスされる。コースを周る前、周った後、どちらでもそれに適した個人別アドバイスを提供し、上達のサポートを行うセットで所有することで付加価値を高める。ゴルフ練習機とゴルフナビ間でＮＦＣを用いた情報共有を行い個人別／コース別の練習／攻略方法をアドバイスする。
【０１８４】
［ナビゲーション装置及びゴルフナビゲーション装置への適用例］
図１１を参照し、第１１の実施形態について説明する。本実施形態は、本発明をナビゲーション装置（以下、ナビゲーション装置１１００及びゴルフナビゲーション装置１１１０に適用した例である。本実施形態においては、情報授受の方向に応じて、ナビゲーション装置１１００及びゴルフナビゲーション装置１１１０の一方が本発明に係る電子機器に相当し、他方が他の電子機器に相当する。どちらの装置が設定情報の送信元になるかは、いずれかの装置の状態（例えば、起動しているアプリケーション、当該アプリケーションで設定された動作モード等）によって決定される。
【０１８５】
ナビゲーション装置１１００の構成は、前述の「ナビゲーション装置への適用例２」で説明したナビゲーション装置４００と同様なので、差異のない事項については、ここでの説明は省略する。
【０１８６】
本実施形態のゴルフナビゲーション装置１１１０は、ＮＦＣ通信部を備える。ナビゲーション装置１１００とゴルフナビゲーション装置１１１０とを接触させることで近距離無線通信を行い、一方の装置が持つ両装置で共通の設定情報を他方の装置へと受け渡す。これにより、一方の装置に対する設定を、他方の装置でも利用する。例えば、ナビゲーション装置１１００でゴルフ場を目的地にし、ゴルフナビゲーション装置１１１０を近づければＮＦＣ機能により目的地としたゴルフ場の情報がゴルフナビゲーション装置１１１０に送られ、ゴルフナビゲーション装置１１１０のコース設定が自動に行われる。逆に、ゴルフナビゲーション装置１１１０でコースを選択しておけばナビゲーション装置１１００にゴルフナビゲーション装置１１１０を近づければ、自動でゴルフ場がナビゲーション装置１１００の目的地として登録される。このように、一度の設定を各機器間で共用し、似通った操作が何度も要求される煩わしさを解消することができる。
【０１８７】
［偽造防止兼商品管理システムへの適用例］
図１２を参照し、第１２の実施形態について説明する。本実施形態は、本発明を偽造防止兼商品管理システムに適用した例である。本実施形態においては、スマートフォン１２００が本発明に係る電子機器に相当し、バッグ１２１０に埋め込まれたＮＦＣタグ１２１５や時計１２２０に埋め込まれたＮＦＣタグ１２２５が他の電子機器に相当する。
【０１８８】
スマートフォン１２００は、ＮＦＣ通信部と、ネットワーク通信部と、制御部と、タッチパネルディスプレイとを備える。ＮＦＣ通信部は、本発明における第１の通信手段の一例である。ネットワーク通信部は、本発明における第２の通信手段の一例であり、インターネット等のネットワークに接続して当該ネットワークに接続されたサーバ１２３０と通信を行う。制御部は、本発明における制御手段の一例である。制御部は、偽造防止兼商品管理システム専用アプリケーションを実行する。制御部は、スマートフォン１２００の各構成要素に対する命令の送信及び各構成要素からのステータスの受信等を行って、スマートフォン１２００全体の動作を統括する。
【０１８９】
バッグ１２１０、時計１２２０には、それぞれＮＦＣタグ１２１５、ＮＦＣタグ１２２５が埋め込まれている。ＮＦＣタグ１２１５、１２２５には、それぞれ固有のＩＤが格納されている。バッグ１２１０及び時計１２２０のメーカはサーバ１２３０を管理する。サーバ１２３０は、バッグ１２１０、時計１２２０等の商品とＩＤとを格納したデータベースを備える。当該データベースには、ＩＤに対応付けて、商品の流通履歴や修理の履歴等が格納される。
【０１９０】
ＮＦＣ通信部は、バッグ１２１０に埋め込まれたＮＦＣタグ１２１５と通信可能な領域に入ると、自動的にＮＦＣタグ１２１５と近距離無線通信を行って、ＮＦＣタグ１２１５に記録されたＩＤを受信する。制御部は、ＮＦＣ通信部が受信したＩＤをネットワーク通信部を介してサーバ１２３０に照会する。サーバは照会結果をスマートフォン１２００に返信し、スマートフォン１２００は制御部の制御の下、照会結果をタッチパネルディスプレイに表示する。
【０１９１】
このようにして、ブランド品メーカなど偽物被害の対策に悩む企業向けに、製品にＮＦＣタグを埋め込み読取り装置にかざすだけで真偽を判定出来るシステムが提供される。偽物被害に悩むブランド品にＮＦＣタグを埋め込む。ＮＦＣタグには、製品固有のＩＤが記録されている。読み取り装置はＮＦＣ通信機能を搭載したスマートフォンやタブレットなど市販の製品に専用アプリケーションを入れたものでよい。このような読み取り装置をＮＦＣタグが埋め込まれた製品にかざしてＩＤを読み出す。そしてＮＦＣタグ情報の管理サーバにアクセスして読み出したＩＤをデータベースと照合する。照合結果は即時スマートフォンに返送され本物か偽物かの情報が表示される。これにより、その場で判別することが可能となる。製品のＮＦＣタグから読み取ったＩＤをネットワーク経由でデータベースと照会可能とする。市販のスマートフォン等を活用するため機器のコストも通信費も安価に出来る。本実施形態の偽造防止兼商品管理システムは、ユーザが自分の購入物を正規品かどうか確認するのに用いることができる。また、店舗が販売品の検品に用いることもできる。
【０１９２】
また、製品の流通過程での流通経路（例えば販売店、下取り店等の情報）、修理情報（例えばファスナを修理した等）などをＩＤと対応付けてサーバ１２３０に記録する。流通業者等が各種の情報をサーバに登録し、サーバ８３０の管理は製品のメーカが行うとよい。これにより、製品の流通や修理の履歴を記録したカルテを作成できる。また、複製が困難であり、複製が行われたとしても真偽の判断が容易となる。
【０１９３】
サーバ１２３０は、照会があったＩＤを照会元の位置情報と対応付けて格納してもよい。このような照会があったＩＤと照会元の位置情報を対応付けたデータを分析することで、ＩＤが正規品のものである場合には正規品の移動履歴を把握することができる。またＩＤが正規品のものでない場合には、偽物の分布を把握することができる。照会が行われる毎にデータが蓄積される。
【０１９４】
ＮＦＣタグは製品内に埋め込まれるので、外観を損ねず偽造も困難である。偽物には当然正規のＮＦＣタグが埋め込まれていないので容易に真偽が判定できる。また正規品については、流通ルートの確認や修理履歴などをタグに記録し、不正取引やアフターサービスを確認することが可能となる。ＮＦＣタグが埋め込まれる製品としては、ブランド品、オートバイ、その他の高価で偽物が出回りやすいものが好適である。製品の中でＮＦＣタグが埋め込まれている場所はユーザにわからなくてもよい。
【０１９５】
［医療施設・介護施設への適用例］
図１３を参照し、第１３の実施形態について説明する。本実施形態は、本発明を医療施設に適用した例である。本実施形態においては、タブレットコンピュータ１３００及び施設の床面に配された読み取り装置１３１０が本発明に係る電子機器に相当し、医療機器、薬袋、患者の履くスリッパ等に埋め込まれたＮＦＣタグ１３２０が他の電子機器に相当する。なお、本実施形態では医療施設を例に説明するが、同様の構成を介護施設に適用することもできる。
【０１９６】
本実施形態で説明する医療施設では、体温計、血圧計等の医療測定器、薬袋、患者がはめるブレスレッド、及び患者の履き物（例えばスリッパ）等、様々な器具・用品にＮＦＣタグ１３２０が埋め込まれる。ＮＦＣタグ１３２０には、医療測定器、薬、患者等のＩＤが格納される。
【０１９７】
タブレットコンピュータ１３００は、ＮＦＣ通信部と、ネットワーク通信部と、制御部と、タッチパネルディスプレイとを備える。ＮＦＣ通信部は、本発明における第１の通信手段の一例であり、ＮＦＣタグ１３２０と通信可能な領域に入ると、自動的にＮＦＣタグ１３２０と通信を行って、ＮＦＣタグ１３２０に記録されたＩＤ等を受信する。ネットワーク通信部は、本発明における第２の通信手段の一例であり、インターネット等のネットワークに接続して当該ネットワークに接続されたサーバ１３４０と通信を行う。なお、ネットワーク通信部は、医療機器の誤動作を防止する観点で、有線での通信を行うことが望ましい。制御部は、本発明における制御手段の一例である。制御部は、医療施設・介護施設管理システム専用アプリケーションを実行する。
【０１９８】
読み取り装置１３１０は、施設の出入口、施設内の各部屋の出入口、トイレや風呂の出入口、エレベータや階段の前等、施設内の要所の床面に配される。読み取り装置１３１０は、ＮＦＣ通信部と、ネットワーク通信部と、制御部とを備える。ＮＦＣ通信部は、本発明における第１の通信手段の一例であり、ＮＦＣタグ１３２０と通信可能な領域に入ると、自動的にＮＦＣタグ１３２０と通信を行って、ＮＦＣタグに記録されたＩＤ等を受信する。ネットワーク通信部は、本発明における第２の通信手段の一例であり、インターネット等のネットワークに接続して当該ネットワークに接続されたサーバ１３４０と通信を行う。制御部は、ＮＦＣ通信部が読み取ったデータをネットワーク通信部を介してサーバ１３４０に送信する。
【０１９９】
サーバ１３４０は、医療機関における各種情報を管理するデータベースを備える。データベースには、患者を識別するＩＤに対応付けて、検温、投薬、レントゲン写真など、様々な履歴が記録されている。また、患者を識別するＩＤに対応付けて、患者に貸与された履き物のＩＤ、当該履き物のＩＤを読み取った読み取り装置１３１０のＩＤと当該読み取り装置で当該履き物のＩＤを読み取った時刻が記録されている。なお、患者を識別するＩＤと当該は患者に貸与された履き物のＩＤを同一としてもよい。
【０２００】
医療機関の患者は、各個人を識別するＩＤが記録されたＮＦＣタグ１３２０が内蔵されたブレスレッドを装着して行動する。また、徘徊をするおそれのある患者は、ＩＤが記録されたＮＦＣタグが埋め込まれた履き物を貸与され、その履き物を履いて行動する。
【０２０１】
医療機関の医師、看護婦等のスタッフは、患者に対して診察、診断、検査等を行うときに、患者が装着しているブレスレッドにタブレットコンピュータ１３００をかざすことにより、ＮＦＣタグ１３２０から患者のＩＤを読み出してサーバ１３４０に照会させ、患者の取り違えがないかを確認する。また、患者のＩＤと併せて、その患者に投与すべき薬の情報、計測すべき項目のリスト、過去の計測結果等が読み出され、タブレットコンピュータ１３００の画面に表示される。これにより、看護婦が投与すべき薬の現物と対比確認、計測内容の確認等が容易にできる。その後、医療測定器や薬袋等にタッチして患者のＩＤに対応付けて測定結果や投与した薬を記録する。そして診察、診断、検査の結果や投与した薬の情報等を患者のＩＤとともにサーバに送信してデータベースに登録する。サーバ１３４０とタブレットコンピュータ１３００との通信は、医療機器の誤動作を防止する観点で、有線での通信とされる。このため、例えば看護婦が携帯するタブレットコンピュータ１３００は、診察、診断、検査の結果や投与した薬の情報等をタブレットコンピュータ１３００の内部に少なくとも一時的に格納しておき、ナースステーションに戻り、タブレットコンピュータ１３００を所定の位置に戻したときに、病院内のサーバ１３４０に自動で情報が読込まれバックアップとデータの一元管理が行われるようにするとよい。
【０２０２】
病院や老人ホームなどで該当者にＮＦＣタグを携行させ、建物の要所要所に読取り装置を設置して徘徊癖のある人が行方不明になったり、薬の投与を他人に行うなどのミスを防ぐ。検温や投薬、レントゲン写真など様々な履歴をＮＦＣに書き込み、タブレット端末などを用い、その場で登録や確認をすることを可能とする。患者にはブレスレット型ＮＦＣを装着させ、体温形や血圧計、薬袋などにＮＦＣを内蔵する。計測や投薬時にタブレットに読込み、履歴を簡単管理できる。手書きによる人的ミスを防ぎ健康／安全管理に不備がないシステムを構築できる。
【０２０３】
病院は高額な医療測定器を病室まで運んで利用することも多い、それらの機器が今どこで使われているか、何処に置かれているか、使用予約は、といった管理をＮＦＣを利用して運用することもできる。身近にあるスマートフォンやタブレットで、それらの機器の状況を確認できる管理システムを病院内に構築するとよい。たとえば、台車に乗った大型の医療測定器については、台車の底面にＮＦＣタグ１３２０を配置し、施設内の要所の床面に配置された読み取り装置１３１０で台車のＮＦＣタグ１３２０に記録されたＩＤを読み出して、医療測定器の移動履歴を管理するとよい。
【０２０４】
老人ホームの場合は、誰が自室に居て、誰がいつからトイレや浴室に居るかなどを確認でき、不自然な行動を感知したら警告が発せられ、安全性を高められる。ＮＦＣタグを各自の靴やスリッパに仕込み、読取り機はマットに仕込めば、自然とミスなく行動確認が行える。入居者の移動先の場所、ずっと同じ場所にいることなどがわかる。例えば、風呂やトイレでずっと動かない場合、事故の可能性があるとして警報を発するとよい。
【０２０５】
［宿泊客管理システムへの適用例］
図１４を参照し、第１４の実施形態について説明する。本実施形態は、本発明を宿泊客管理システムに適用した例である。本実施形態においては、宿泊客管理システム１４００が本発明に係る電子機器に相当し、カード１４１０や個人所有のスマートフォン１４２０が他の電子機器に相当する。
【０２０６】
宿泊客管理システム１４００は、ホテルや旅館の宿泊施設に設けられ、宿泊客の管理に利用される。宿泊客管理システム１４００は、宿泊客に関する各種情報を記録したデータベースを備える。当該データベースには、宿泊客ごとに割り当てられたＩＤ、宿泊客に割り当てられた客室、宿泊客に対する課金情報等が格納される。
【０２０７】
カード１０１０は、宿泊客に割り当てられたＩＤを記録したＮＦＣタグを内蔵し、宿泊客管理システム１４００におけるカード型のルームキーとして宿泊客に貸与される。宿泊客は、当該カードを用いて客室の開錠及び施錠を行う。例えば、開錠をする場合、客室の入口付近に配された読み取り部にカード１４１０をかざす。すると、読み取り部によってカード１４１０に記録されたＩＤが読み取られ、読み取ったＩＤがデータベースに照会される。読み取ったＩＤがその客室が割り当てられた宿泊客のＩＤと一致した場合、宿泊客管理システム１４００は客室のドアを開錠する。
【０２０８】
ＮＦＣ通信機能を搭載したスマートフォン１４２０を持っている宿泊客は、チェックインの際に登録することで自分のスマートフォン１４２０をカード１４１０の代わりに使用することができる。
【０２０９】
宿泊客管理システム１４００は、宿泊施設内での商品やサービスに対する支払をカード１４１０やスマートフォン１４２０で行うことを可能とする。例えばレストランや売店の支払い、プールやジムの利用などの際に、支払い情報をＩＤとともにデータベースに登録して、チェックアウトの際にまとめて精算ができる。また、スマートフォン１４２０を利用する宿泊客がチェックアウトをする時には、オンラインバンキングやクレジットカード等のネット決済を利用してフロントでの手続きを経ることなくチェックアウトをすることを可能とする。
【０２１０】
ルームキーをＮＦＣにし、部屋の開錠/施錠は勿論、レストランや売店の支払い、プールやジムの利用なども管理する。自分でＮＦＣ搭載スマートフォンを持っている人はチェックインの際に登録することで、それを代用することや、セルフチェックアウトなども可能となる。
【０２１１】
ＮＦＣに個別に割当てられたＩＤと照合し、セキュリティを確保するのでスマートフォンやタブレットの画面で利用内容や金額を確認し、そのままオンラインバンキングやカードのネット決済で支払を済ますことが可能となる。混雑したフロントでのチェックアウトを避ける顧客満足度を向上させる。さらにリピーターであればチェックインもスマートフォン画面で部屋番号などを確認しながら可能とし、ルームキーにＮＦＣのＩＤを登録することで、フロントに寄らずに直行が可能、チェックインもチェックアウトも一切フロントを使う必要を無くすことができる。個人所有のスマートフォンやカードなどＮＦＣ搭載品でルームキーの代用をはじめホテル内のジムやレストランなどの利用／支払が可能になる。
【０２１２】
［スポーツジムの管理システムへの適用例］
図１５を参照し、第１５の実施形態について説明する。本実施形態は、本発明をスポーツジムの管理システムに適用した例である。本実施形態においては、管理システム１５００が本発明に係る電子機器に相当し、ＮＦＣタグが埋め込まれた会員カード１５１０が他の電子機器に相当する。他の電子機器の他の例として、ロッカーの鍵に埋め込まれたＮＦＣタグであってもよい。
【０２１３】
管理システム１５００は、スポーツジムに設けられ、利用者のトレーニング管理に利用される。管理システム１５００は、利用者に関する各種情報を記録したデータベースを備える。当該データベースには、利用者ごとに割り当てられたＩＤ、利用者ごとの日々のトレーニング量等が格納される。管理システム１５００は、スポーツジム内の各施設や機器にＮＦＣ読み取り部を備える。
【０２１４】
会員カード１５１０は、利用者に割り当てられたＩＤを記録したＮＦＣタグを内蔵し、利用者に貸与される。利用者はスポーツジムに入館する際に、フロントに設けられたＮＦＣ読み取り部に会員カード１５１０をかざし、自己のＩＤを管理システム伝え、これに応じて管理システムは当該利用者が入館したことを記録する。利用者は、スポーツジム内で各種のトレーニングを行うときに、各施設や機器のＮＦＣ読み取り部に会員カード１５１０をかざして、自分の行ったトレーニングの種類や運動量、消費カロリー等を登録する。
例えば、ランニングマシンを利用する場合には、利用者は、トレーニング開始時とトレーニング終了時に会員カード１５１０をランニングマシンのＮＦＣ読み取り部にかざす。これにより、管理システム１５００は、トレーニング開始時に利用者のＩＤを受信するとともに、利用者がランニングマシンを利用したことをデータベースに登録する。そしてトレーニング終了後、管理システム１５００は、利用開始から利用終了までのトレーニング内容をランニングマシンから取得し、当該利用者のトレーニング実績としてデータベースに登録する。
【０２１５】
プールでのトレーニングの場合には、利用者はプールサイドに貼られたトレーニングメニュー表の所望のメニューに会員カード１５１０をかざす。トレーニングメニュー表は、泳法と距離がマトリックス状に表示されたものであり、各トレーニングメニューの表示位置に会員カードをかざすと会員カード１５１０のＮＦＣタグが読み取られるよう、トレーニングメニューの数に合わせた複数のＮＦＣ読み取り部が設けられている。複数のＮＦＣ読み取り部による検出可能範囲は、互いに重複しないよう離間されている。このようなトレーニングメニュー表の所望のトレーニングメニューに会員カードをかざすことで、管理システム１５００は、利用者のＩＤをＮＦＣタグから読み取るとともに、読み取りが行われた読み取り部に対応するトレーニングメニューを、当該利用者のトレーニング実績としてデータベースに登録する。
【０２１６】
管理システム１５００は、登録されたトレーニング実績に応じて、各利用者におすすめのトレーニングプログラムを設計する。ユーザは、トレーニングの前後に、スポーツジム内に設けられた端末１５２０に会員カード１５１０をかざして、管理システム１５００によって設計されたトレーニングプログラムを参照しつつトレーニングを計画し実施する。利用者は、スポーツジム内の端末や外部のパーソナルコンピュータ、スマートフォン等からも管理システム１５００のデータベースに格納された各利用者のデータやトレーニングプログラムを参照したり編集したりすることができる。
【０２１７】
スポーツジムの会員証としては勿論、入退室管理や各スポーツをどの位の時間、どの位の距離行ったかをＮＦＣを使って管理、消費カロリーの計算なども行う。１日や１週間など任意の期間で運動量を集計し、自身の目的に応じたプログラム作成もサポートする。スポーツジムのサーバを外部からアクセス出来るシステムにしておけば、利用予約や運動量の集計を自宅からでも確認でき、いつでもどこでも健康管理が行える。ＮＦＣタグは完全防水にしておき、会員カード、プールでの利用、ロッカーの鍵、施設内での物品購入など様々な場面で利用が可能としておく。
【０２１８】
上述の例では、ユーザが持つＮＦＣタグを管理システム１５００が読み取ったが、これとは反対にユーザが持つ端末（例えばスマートフォン等）でスポーツジムの各種機器からトレーニングの種類や運動量、消費カロリー等を取得するようにしてもよい。例えば、ランニングマシンを利用する場合には、利用者は、終了時にスマートフォンをランニングマシンのＮＦＣ通信部にかざし、利用開始から利用終了までのトレーニング内容をランニングマシンからスマートフォンに受信して記録する。利用者は、スマートフォンに記録したトレーニング内容を参照して、トレーニングの履歴を振り返ったり、トレーニングプログラムを作成したりすることができる。
【０２１９】
プールでのトレーニングの場合には、利用者はプールサイドに貼られたトレーニングメニュー表の所望のメニューにスマートフォンをかざす。トレーニングメニュー表は、泳法と距離がマトリックス状に表示されたものであり、各トレーニングメニューの表示位置にメニューに応じた情報が記録されたＮＦＣタグ配置される。各ＮＦＣタグは、ＮＦＣ通信による通信距離以上離間して配置され、誤検出を防止する。このようなトレーニングメニュー表の所望のトレーニングメニューにスマートフォンをかざすことで、トレーニングの内容をメニュー表からスマートフォンに受信して記録する。
【０２２０】
上記のトレーニング表のような、複数のＮＦＣタグが互いに検出範囲が重複しないように薄型平板状の板やシートに埋め込まれ、その表面上にＮＦＣタグに対応したそれぞれが異なることが認識できる表記がなされた構造は、本発明の他の実施形態にも適用することができる。１つのＮＦＣタグを例に説明をした実施形態について、これに代えて複数のＮＦＣタグが埋め込まれたものを採用してもよい。
【０２２１】
例えば、第４の実施形態（ナビゲーション装置への適用例１）において、大きな地図や旅行ガイド等に複数のＮＦＣタグ４１０が埋め込まれた態様でＮＦＣタグが提供されてもよい。携帯可能なナビゲーション装置４００を地図や旅行ガイド上の所望のスポットにかざして、目的地を設定できるようにするとよい。
【図１】
2020110000.tif 000003
【図２】
2020110000.tif 000004
【図３】
2020110000.tif 000005
【図４】
2020110000.tif 000006
【図５】
2020110000.tif 000007
【図６】
2020110000.tif 000008
【図７】
2020110000.tif 000009
【図８】
2020110000.tif 000010
【図９】
2020110000.tif 000011
【図１０】
2020110000.tif 000012
【図１１】
2020110000.tif 000013
【図１２】
2020110000.tif 000014
【図１３】
2020110000.tif 000015
【図１４】
2020110000.tif 000016
【図１５】
2020110000.tif 000017